(57)【要約】  ワイヤレス通信のための方法、システム、およびデバイスが説明される。ユーザ機器(UE)は、複数のビームおよび複数のミニスロットを使用した送信のために構成されるダウンリンク送信のリソース割振りパターンを示す制御情報を受信してもよく、ミニスロットの時間長はスロットの時間長未満である。UEは、リソース割振りパターンに基づいて、複数のミニスロットのうちの第1のミニスロットの開始時間および第1のミニスロットの長さを特定し、第1のミニスロットの開始時間および第1のミニスロットの長さに基づいてダウンリンク送信を受信し得る。
2021522732.tif 000002
【特許請求の範囲】
【請求項１】
ユーザ機器(UE)におけるワイヤレス通信のための方法であって、
複数のビームおよび複数のミニスロットを使用した送信のために構成されるダウンリンク送信のリソース割振りパターンを示す制御情報を受信するステップであって、ミニスロットの時間長が、スロットの時間長未満である、ステップと、
前記リソース割振りパターンに少なくとも部分的に基づいて、前記複数のミニスロットのうちの第1のミニスロットの開始時間および前記第1のミニスロットの長さを特定するステップと、
前記第1のミニスロットの前記開始時間および前記第1のミニスロットの前記長さに少なくとも部分的に基づいて、前記ダウンリンク送信を受信するステップとを含む、
方法。
【請求項２】
前記複数のビームのチャネル品質を示す報告を送信するステップと、
前記報告に少なくとも部分的に基づいて、前記複数のビームに対応する複数の送信構成指示(TCI)状態の指示を受信するステップとをさらに含む、
請求項1に記載の方法。
【請求項３】
前記指示が、無線リソース制御(RRC)シグナリングを備える、
請求項2に記載の方法。
【請求項４】
前記第1のミニスロットの間に前記複数のビームのうちの第1のビーム上で前記ダウンリンク送信の第1の部分を受信するステップと、
前記複数のミニスロットのうちの第2のミニスロットの間に前記ダウンリンク送信の第2の部分を受信するために、前記複数のビームのうちの第2のビームに切り替えるステップとをさらに含む、
請求項1に記載の方法。
【請求項５】
前記第1のミニスロットの前記長さに少なくとも部分的に基づいて、第2のミニスロットの開始時間を決定するステップをさらに含む、
請求項1に記載の方法。
【請求項６】
前記第1のミニスロットの前記長さと、前記第1のミニスロットおよび第2のミニスロットを包含するスロットの長さとに少なくとも部分的に基づいて、前記第2のミニスロットの長さを決定するステップをさらに含む、
請求項1に記載の方法。
【請求項７】
前記複数のミニスロットの各々の時間長が互いに等しい、
請求項1に記載の方法。
【請求項８】
前記リソース割振りパターンが、前記第1のミニスロットの前記開始時間および前記第1のミニスロットの前記時間長を示す、
請求項7に記載の方法。
【請求項９】
前記第1のミニスロットの時間長が、第2のミニスロットの時間長と異なり、
前記第1のミニスロットの前記時間長および前記第2のミニスロットの前記時間長が、前記複数のビームにわたるレート調整に少なくとも部分的に基づく、
請求項1に記載の方法。
【請求項１０】
前記制御情報が、ダウンリンク制御情報(DCI)を備える、
請求項1に記載の方法。
【請求項１１】
前記リソース割振りパターンが、start and length indicator(SLIV)を備える、
請求項1に記載の方法。
【請求項１２】
前記ダウンリンク送信が、物理ダウンリンク共有チャネル(PDSCH)送信を備える、
請求項1に記載の方法。
【請求項１３】
前記第1のミニスロットの前記開始時間が、前記第1のミニスロットを開始する直交周波数分割多重化(OFDM)シンボルのインデックスを備える、
請求項1に記載の方法。
【請求項１４】
前記第1のミニスロットの前記長さが、直交周波数分割多重化(OFDM)シンボルの時間長を備える、
請求項1に記載の方法。
【請求項１５】
基地局におけるワイヤレス通信のための方法であって、
複数のビームおよび複数のミニスロットを使用した送信のためにダウンリンク送信を構成するステップであって、ミニスロットの時間長が、スロットの時間長未満である、ステップと、
前記ダウンリンク送信のためのリソース割振りパターンを示す制御情報を送信するステップと、
前記リソース割振りパターンに少なくとも部分的に基づいて、前記ダウンリンク送信を送信するステップとを含む、
方法。
【請求項１６】
前記複数のビームのチャネル品質を示す報告を受信するステップと、
前記報告に少なくとも部分的に基づいて、前記複数のビームに対応する複数の送信構成指示(TCI)状態の指示を送信するステップとをさらに含む、
請求項15に記載の方法。
【請求項１７】
前記指示が、無線リソース制御(RRC)シグナリングを備える、
請求項16に記載の方法。
【請求項１８】
前記複数のミニスロットのうちの第1のミニスロットの間に前記複数のビームのうちの第1のビーム上で前記ダウンリンク送信の第1の部分を送信するステップと、
前記複数のミニスロットのうちの第2のミニスロットの間に前記複数のビームのうちの第2のビーム上で前記ダウンリンク送信の第2の部分を送信するステップとをさらに含む、
請求項15に記載の方法。
【請求項１９】
前記リソース割振りパターンに少なくとも部分的に基づいて第1のミニスロットの開始時間および前記第1のミニスロットの長さを示すステップをさらに含み、第2のミニスロットの開始時間および前記第2のミニスロットの長さが、前記第1のミニスロットの前記長さならびに前記第1のミニスロットおよび前記第2のミニスロットを包含するスロットの長さに少なくとも部分的に基づいて暗黙的に示される、
請求項15に記載の方法。
【請求項２０】
前記複数のミニスロットのうちの第1のミニスロットの時間長を前記複数のミニスロットのうちの第2のミニスロットの時間長とは異なるように構成することによって、前記複数のビームにわたり送信レートを調整するステップをさらに含む、
請求項15に記載の方法。
【請求項２１】
前記制御情報が、ダウンリンク制御情報(DCI)を備える、
請求項15に記載の方法。
【請求項２２】
前記リソース割振りパターンが、start and length indicator (SLIV)を備える、
請求項15に記載の方法。
【請求項２３】
前記ダウンリンク送信が、物理ダウンリンク共有チャネル(PDSCH)送信を備える、
請求項15に記載の方法。
【請求項２４】
ワイヤレス通信のための装置であって、
複数のビームおよび複数のミニスロットを使用した送信のために構成されるダウンリンク送信のリソース割振りパターンを示す制御情報を受信する手段であって、ミニスロットの時間長がスロットの時間長未満である、手段と、
前記リソース割振りパターンに少なくとも部分的に基づいて、前記複数のミニスロットのうちの第1のミニスロットの開始時間および前記第1のミニスロットの長さを特定する手段と、
前記第1のミニスロットの前記開始時間および前記第1のミニスロットの前記長さに少なくとも部分的に基づいて、前記ダウンリンク送信を受信する手段とを備える、
装置。
【請求項２５】
前記複数のビームのチャネル品質を示す報告を送信する手段と、
前記報告に少なくとも部分的に基づいて、前記複数のビームに対応する複数の送信構成指示(TCI)状態の指示を受信する手段とをさらに備える、
請求項24に記載の装置。
【請求項２６】
前記指示が、無線リソース制御(RRC)シグナリングを備える、
請求項25に記載の装置。
【請求項２７】
前記第1のミニスロットの間に前記複数のビームのうちの第1のビーム上で前記ダウンリンク送信の第1の部分を受信する手段と、
前記複数のミニスロットのうちの第2のミニスロットの間に前記ダウンリンク送信の第2の部分を受信するために、前記複数のビームのうちの第2のビームに切り替える手段とをさらに備える、
請求項24に記載の装置。
【請求項２８】
前記第1のミニスロットの前記長さに少なくとも部分的に基づいて、第2のミニスロットの開始時間を決定する手段、または、
前記第1のミニスロットの前記長さと、前記第1のミニスロットおよび前記第2のミニスロットを包含するスロットの長さとに少なくとも部分的に基づいて、前記第2のミニスロットの長さを決定する手段、または、
それらの組合せをさらに備える、
請求項24に記載の装置。
【請求項２９】
ワイヤレス通信のための装置であって、
複数のビームおよび複数のミニスロットを使用した送信のためにダウンリンク送信を構成する手段であって、ミニスロットの時間長が、スロットの時間長未満である、手段と、
前記ダウンリンク送信のためのリソース割振りパターンを示す制御情報を送信する手段と、
前記リソース割振りパターンに少なくとも部分的に基づいて、前記ダウンリンク送信を送信する手段とを備える、
装置。
【請求項３０】
前記複数のビームのチャネル品質を示す報告を受信する手段と、
前記報告に少なくとも部分的に基づいて、前記複数のビームに対応する複数の送信構成指示(TCI)状態の指示を送信する手段とをさらに備える、
請求項29に記載の装置。
【発明の詳細な説明】
【技術分野】
【０００１】
相互参照
本特許出願は、本出願の譲受人に譲渡される、2019年4月23日に出願された「Resource Allocation Pattern Signaling For Mini-Slots」と題する、Venugopalらによる米国特許出願第16/392,339号、および2018年4月27日に出願された「Resource Allocation Pattern Signaling For Mini-Slots」と題する、Venugopalらによる米国仮特許出願第62/663,952号の優先権を主張する。
【０００２】
以下は、全般にワイヤレス通信に、およびミニスロットのためのリソース割振りパターンのシグナリングに関する。
【背景技術】
【０００３】
ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって複数のユーザとの通信をサポートすることが可能であり得る。そのような多元接続システムの例には、Long Term Evolution (LTE)システム、LTE-Advanced (LTE-A)システムまたはLTE-A Proシステムなどの第4世代(4G)システム、およびNew Radio (NR)システムと呼ばれることがある第5世代(5G)システムがある。これらのシステムは、符号分割多元接続(CDMA(登録商標))、時分割多元接続(TDMA)、周波数分割多元接続(FDMA)、直交周波数分割多元接続(OFDMA)、または離散フーリエ変換拡散OFDM(DFT-S-OFDM)などの技術を利用し得る。ワイヤレス多元接続通信システムは、場合によってはユーザ機器(UE)として知られていることがある複数の通信デバイスのための通信を各々が同時にサポートする、いくつかの基地局またはネットワークアクセスノードを含み得る。
【発明の概要】
【課題を解決するための手段】
【０００４】
説明される技法は、ミニスロットのためのリソース割振りパターンのシグナリングをサポートする改善された方法、システム、デバイス、および装置に関する。いくつかの場合、基地局およびユーザ機器(UE)は、ビームフォーミングされた通信をサポートすることがあり、いくつかのビームを介してメッセージを送信して受信することがある。基地局およびUEは協調して、どのビームを介してメッセージが送信されているかを決定し得る。
【０００５】
以下でより詳しく説明されるように、ミニスロットは、スロットより時間長が短い時間リソースであり得る。リソース割振りパターンは、start and length indicator (SLIV)パターンとして構成されてシグナリングされ得る。ミニスロットレベルのアグリゲーションのためのリソース割振りパターンを構成してシグナリングすることは、基地局またはUEが複数の送信構成指示(TCI)状態のために構成されるときに、より大きい柔軟性をもたらし、ダウンリンクデータの受信を最適化し得る。たとえば、基地局は、異なるビーム上の異なる時間長のミニスロットレベルのリソース割振りパターンを構成してシグナリングすることによって、データ送信のレートを調整し得る。
【０００６】
いくつかの場合、基地局は、チャネル品質インジケータ(CQI)報告、または何らかの他のUEフィードバック報告に基づいて、動作モードを決定し得る。たとえば、UEは、複数のビームに対するチャネル品質を示す報告を送信してもよく、複数のビームに対応する複数のTCI状態の指示を受信してもよい。いくつかの態様では、各アナログビームは、別個のTCI状態として見なされ得る。
【０００７】
基地局からのTCI状態の受信に続いて、UEは、ダウンリンク制御チャネルを介して搬送される制御情報(たとえば、ダウンリンク制御情報(DCI))も受信し得る。いくつかの場合、DCIは、時間領域物理ダウンリンク共有チャネル(PDSCH)リソースフィールドを含んでもよく、これは、より高次のレイヤ(たとえば、無線リソース制御(RRC))の構成されたテーブルの行インデックスを示してもよい。行インデックスは、ダウンリンクデータがそれを介して受信され得る時間または周波数リソースを決定する際にUEを助け得る。いくつかの場合、行インデックスにおいて定義されるSLIVパターンは、UEがそれに基づいて1つまたは複数の他のミニスロットの開始時間および長さを決定することが可能であり得る、第1のミニスロットの開始時間および第1のミニスロットの長さの指示を提供し得る。このようにして、UEは、1つのミニスロットのリソース割振りパターンから複数のミニスロットのリソース割振りパターンを示唆することができ、これにより、複数のミニスロットのリソース割振りパターンを送信することと関連付けられるシグナリングオーバーヘッドが減り得る。
【０００８】
UEにおけるワイヤレス通信の方法が説明される。方法は、ビームのセットおよびミニスロットのセットを使用した送信のために構成されるダウンリンク送信のリソース割振りパターンを示す制御情報を受信するステップであって、ミニスロットの時間長がスロットの時間長未満である、ステップと、リソース割振りパターンに基づいて、ミニスロットのセットのうちの第1のミニスロットの開始時間および第1のミニスロットの長さを特定するステップと、第1のミニスロットの開始時間および第1のミニスロットの長さに基づいてダウンリンク送信を受信するステップとを含み得る。
【０００９】
UEにおけるワイヤレス通信のための装置が説明される。装置は、プロセッサと、プロセッサに結合されたメモリと、メモリに記憶された命令とを含み得る。命令は、装置に、ビームのセットおよびミニスロットのセットを使用した送信のために構成されるダウンリンク送信のリソース割振りパターンを示す制御情報を受信することであって、ミニスロットの時間長がスロットの時間長未満である、ことと、リソース割振りパターンに基づいて、ミニスロットのセットのうちの第1のミニスロットの開始時間および第1のミニスロットの長さを特定することと、第1のミニスロットの開始時間および第1のミニスロットの長さに基づいてダウンリンク送信を受信することとを行わせるように、プロセッサによって実行可能であり得る。
【００１０】
UEにおけるワイヤレス通信のための別の装置が説明される。装置は、ビームのセットおよびミニスロットのセットを使用した送信のために構成されるダウンリンク送信のリソース割振りパターンを示す制御情報を受信する手段であって、ミニスロットの時間長がスロットの時間長未満である、手段と、リソース割振りパターンに基づいて、ミニスロットのセットのうちの第1のミニスロットの開始時間および第1のミニスロットの長さを特定する手段と、第1のミニスロットの開始時間および第1のミニスロットの長さに基づいてダウンリンク送信を受信する手段とを含み得る。
【００１１】
UEにおけるワイヤレス通信のためのコードを記憶する非一時的コンピュータ可読媒体が説明される。コードは、ビームのセットおよびミニスロットのセットを使用した送信のために構成されるダウンリンク送信のリソース割振りパターンを示す制御情報を受信することであって、ミニスロットの時間長がスロットの時間長未満である、ことと、リソース割振りパターンに基づいて、ミニスロットのセットのうちの第1のミニスロットの開始時間および第1のミニスロットの長さを特定することと、第1のミニスロットの開始時間および第1のミニスロットの長さに基づいてダウンリンク送信を受信することとを行うように、プロセッサによって実行可能な命令を含み得る。
【００１２】
本明細書で説明される方法、装置、および非一時的コンピュータ可読媒体のいくつかの例はさらに、ビームのセットのチャネル品質を示す報告を送信し、報告に基づいてビームのセットに対応するTCI状態のセットの指示を受信するための、動作、特徴、手段、または命令を含み得る。
【００１３】
本明細書で説明された方法、装置、および非一時的コンピュータ可読媒体のいくつかの例では、指示はRRCシグナリングを含む。
【００１４】
本明細書で説明される方法、装置、および非一時的コンピュータ可読媒体のいくつかの例はさらに、第1のミニスロットの間にビームのセットのうちの第1のビーム上でダウンリンク送信の第1の部分を受信し、ミニスロットのセットのうちの第2のミニスロットの間にダウンリンク送信の第2の部分を受信するためにビームのセットのうちの第2のビームに切り替えるための、動作、特徴、手段、または命令を含み得る。
【００１５】
本明細書で説明される方法、装置、および非一時的コンピュータ可読媒体のいくつかの例はさらに、第1のミニスロットの長さに基づいて第2のミニスロットの開始時間を決定するための、動作、特徴、手段、または命令を含み得る。本明細書で説明される方法、装置、および非一時的コンピュータ可読媒体のいくつかの例はさらに、第1のミニスロットの長さならびに第1のミニスロットおよび第2のミニスロットを包含するスロットの長さに基づいて、第2のミニスロットの長さを決定するための、動作、特徴、手段、または命令を含み得る。本明細書で説明される方法、装置、および非一時的コンピュータ可読媒体のいくつかの場合はさらに、これらの組合せ(たとえば、第1のミニスロットの長さに基づいて第2のミニスロットの開始時間を決定し、第1のミニスロットの長さならびに第1のミニスロットおよび第2のミニスロットを包含するスロットの長さに基づいて、第2のミニスロットの長さを決定すること)のための、動作、特徴、手段、または命令を含み得る。
【００１６】
本明細書で説明される方法、装置、および非一時的コンピュータ可読媒体のいくつかの例では、ミニスロットのセットの各々の時間長は互いに等しくてもよい。
【００１７】
本明細書で説明される方法、装置、および非一時的コンピュータ可読媒体のいくつかの例では、リソース割振りパターンは、第1のミニスロットの開始時間および第1のミニスロットの時間長を示す。
【００１８】
本明細書で説明される方法、装置、および非一時的コンピュータ可読媒体のいくつかの例では、第1のミニスロットの時間長は第2のミニスロットの時間長と異なってもよく、第1のミニスロットの時間長および第2のミニスロットの時間長は、ビームのセットにわたるレート調整に基づいてもよい。
【００１９】
本明細書で説明される方法、装置、および非一時的コンピュータ可読媒体のいくつかの例では、制御情報はDCIを含む。
【００２０】
本明細書で説明された方法、装置、および非一時的コンピュータ可読媒体のいくつかの例では、リソース割振りパターンはSLIVを含む。
【００２１】
本明細書で説明される方法、装置、および非一時的コンピュータ可読媒体のいくつかの例では、ダウンリンク送信はPDSCH送信を含む。
【００２２】
本明細書で説明される方法、装置、および非一時的コンピュータ可読媒体のいくつかの例では、第1のミニスロットの開始時間は、第1のミニスロットを開始する直交周波数分割多重化(OFDM)シンボルのインデックスを含む。
【００２３】
本明細書で説明される方法、装置、および非一時的コンピュータ可読媒体のいくつかの例では、第1のミニスロットの長さはOFDMシンボルの時間長を含む。
【００２４】
本明細書で説明される方法、装置、および非一時的コンピュータ可読媒体のいくつかの例では、スロットの時間長は、普通のサイクリックプレフィックス(CP)が構成される場合は14個の直交周波数分割多重化OFDMシンボルを、および拡張されたCPが構成される場合は12個のOFDMシンボルを含む。
【００２５】
基地局におけるワイヤレス通信の方法が説明される。方法は、ビームのセットおよびミニスロットのセットを使用した送信のためにダウンリンク送信を構成するステップであって、ミニスロットの時間長がスロットの時間長未満である、ステップと、ダウンリンク送信のためのリソース割振りパターンを示す制御情報を送信するステップと、リソース割振りパターンに基づいてダウンリンク送信を送信するステップとを含み得る。
【００２６】
基地局におけるワイヤレス通信のための装置が説明される。装置は、プロセッサと、プロセッサに結合されたメモリと、メモリに記憶された命令とを含み得る。命令は、装置に、ビームのセットおよびミニスロットのセットを使用した送信のためにダウンリンク送信を構成することであって、ミニスロットの時間長がスロットの時間長未満である、ことと、ダウンリンク送信のためのリソース割振りパターンを示す制御情報を送信することと、リソース割振りパターンに基づいてダウンリンク送信を送信することとを行わせるように、プロセッサによって実行可能であり得る。
【００２７】
基地局におけるワイヤレス通信のための別の装置が説明される。装置は、ビームのセットおよびミニスロットのセットを使用した送信のためにダウンリンク送信を構成する手段であって、ミニスロットの時間長がスロットの時間長未満である、手段と、ダウンリンク送信のためのリソース割振りパターンを示す制御情報を送信する手段と、リソース割振りパターンに基づいてダウンリンク送信を送信する手段とを含み得る。
【００２８】
基地局におけるワイヤレス通信のためのコードを記憶する非一時的コンピュータ可読媒体が説明される。コードは、ビームのセットおよびミニスロットのセットを使用した送信のためにダウンリンク送信を構成することであって、ミニスロットの時間長がスロットの時間長未満である、ことと、ダウンリンク送信のためのリソース割振りパターンを示す制御情報を送信することと、リソース割振りパターンに基づいてダウンリンク送信を送信することとを行うように、プロセッサによって実行可能な命令を含み得る。
【００２９】
本明細書で説明される方法、装置、および非一時的コンピュータ可読媒体のいくつかの例はさらに、ビームのセットのチャネル品質を示す報告を受信し、報告に基づいてビームのセットに対応するTCI状態のセットの指示を送信するための、動作、特徴、手段、または命令を含み得る。
【００３０】
本明細書で説明された方法、装置、および非一時的コンピュータ可読媒体のいくつかの例では、指示はRRCシグナリングを含む。
【００３１】
本明細書で説明される方法、装置、および非一時的コンピュータ可読媒体のいくつかの例はさらに、ミニスロットのセットのうちの第1のミニスロットの間にビームのセットのうちの第1のビーム上でダウンリンク送信の第1の部分を送信し、ミニスロットのセットのうちの第2のミニスロットの間にビームのセットのうちの第2のビーム上でダウンリンク送信の第2の部分を送信するための、動作、特徴、手段、または命令を含み得る。
【００３２】
本明細書で説明される方法、装置、および非一時的コンピュータ可読媒体のいくつかの例はさらに、リソース割振りパターンに基づいて第1のミニスロットの開始時間および第1のミニスロットの長さを示すための、動作、特徴、手段、または命令を含んでもよく、第2のミニスロットの開始時間および第2のミニスロットの長さは、第1のミニスロットの長さならびに第1のミニスロットおよび第2のミニスロットを包含するスロットの長さに基づいて暗黙的に示されてもよい。
【００３３】
本明細書で説明される方法、装置、および非一時的コンピュータ可読媒体のいくつかの例はさらに、ミニスロットのセットのうちの第1のミニスロットの時間長をミニスロットのセットのうちの第2のミニスロットの時間長とは異なるように構成することによって、ビームのセットにわたり送信レートを調整するための、動作、特徴、手段、または命令を含み得る。
【００３４】
本明細書で説明される方法、装置、および非一時的コンピュータ可読媒体のいくつかの例では、制御情報はDCIを含む。
【００３５】
本明細書で説明された方法、装置、および非一時的コンピュータ可読媒体のいくつかの例では、リソース割振りパターンはSLIVを含む。
【００３６】
本明細書で説明される方法、装置、および非一時的コンピュータ可読媒体のいくつかの例では、ダウンリンク送信はPDSCH送信を含む。
【００３７】
本明細書で説明される方法、装置、および非一時的コンピュータ可読媒体のいくつかの例では、スロットの時間長は、普通のCPが構成される場合は14個のOFDMシンボルを、および拡張されたCPが構成される場合は12個のOFDMシンボルを含む。
【図面の簡単な説明】
【００３８】
【図１】本開示の態様による、ミニスロットのためのリソース割振りパターンのシグナリングをサポートするワイヤレス通信のためのシステムの例を示す図である。
【図２】本開示の態様による、ミニスロットのためのリソース割振りパターンのシグナリングをサポートするワイヤレス通信のためのシステムの例を示す図である。
【図３】本開示の態様による、ミニスロットのためのリソース割振りパターンのシグナリングをサポートするワイヤレス通信メッセージの例を示す図である。
【図４】本開示の態様による、プロセスフローの例を示す図である。
【図５】本開示の態様による、ミニスロットのためのリソース割振りパターンのシグナリングをサポートするデバイスのブロック図である。
【図６】本開示の態様による、ミニスロットのためのリソース割振りパターンのシグナリングをサポートするデバイスのブロック図である。
【図７】本開示の態様による、ミニスロットのためのリソース割振りパターンのシグナリングをサポートする通信マネージャのブロック図である。
【図８】本開示の態様による、ミニスロットのためのリソース割振りパターンのシグナリングをサポートするデバイスを含むシステムの図である。
【図９】本開示の態様による、ミニスロットのためのリソース割振りパターンのシグナリングをサポートするデバイスのブロック図である。
【図１０】本開示の態様による、ミニスロットのためのリソース割振りパターンのシグナリングをサポートするデバイスのブロック図である。
【図１１】本開示の態様による、ミニスロットのためのリソース割振りパターンのシグナリングをサポートする通信マネージャのブロック図である。
【図１２】本開示の態様による、ミニスロットのためのリソース割振りパターンのシグナリングをサポートするデバイスを含むシステムの図である。
【図１３】本開示の態様による、ミニスロットのためのリソース割振りパターンのシグナリングをサポートする方法を示すフローチャートである。
【図１４】本開示の態様による、ミニスロットのためのリソース割振りパターンのシグナリングをサポートする方法を示すフローチャートである。
【図１５】本開示の態様による、ミニスロットのためのリソース割振りパターンのシグナリングをサポートする方法を示すフローチャートである。
【図１６】本開示の態様による、ミニスロットのためのリソース割振りパターンのシグナリングをサポートする方法を示すフローチャートである。
【図１７】本開示の態様による、ミニスロットのためのリソース割振りパターンのシグナリングをサポートする方法を示すフローチャートである。
【図１８】本開示の態様による、ミニスロットのためのリソース割振りパターンのシグナリングをサポートする方法を示すフローチャートである。
【発明を実施するための形態】
【００３９】
いくつかのワイヤレス通信システムでは、スロットの中のアップリンクまたはダウンリンクデータは、他のスロットに依存することなく、または頼ることなく、独立して復号可能であり得る。さらに、スロットは、時間的に柔軟な開始場所および通常のスロット時間長よりも短い時間長を伴う送信をサポートするように、1つまたは複数のミニスロットによって補足され得る。本明細書で使用されるようなミニスロットという用語は、スロットのサブセットと呼ばれることもあり、スロット内に直交周波数分割多重化(OFDM)シンボルのグループを備えてもよいことに留意されたい。いくつかの場合、スロットまたはミニスロットの時間長は選ばれたヌメロロジーに基づいてもよく、それは、OFDMシンボル時間長がそのサブキャリア間隔に反比例し得るからである。いくつかの場合、広範囲の周波数および展開での多様なサービスを可能にするために、スケーラブルなOFDMヌメロロジーが実装され得る。たとえば、サブキャリア間隔は2nの係数によってスケーリング可能であってもよく、これは、異なるヌメロロジーのスロットおよびシンボルが時間領域において確実に揃うようにすることの役に立つことがある。いくつかの態様では、new radio (NR)システムにおけるスロットに対するOFDMシンボルの数は、普通のサイクリックプレフィックス(CP)が構成される場合には7または14であってもよく、拡張されたCPが構成される場合には12であってもよい。
【００４０】
NR技術を展開するもの、またはミリメートル波(mmW)スペクトルにおいて動作するものなどの、一部のワイヤレス通信は、mmWスペクトルにおいて受ける追加の減衰に対処するために、ビームフォーミング技法を利用して特定の方向におけるワイヤレス信号の強さを高めることがある。いくつかの場合、UEは、1つまたは複数の送信構成指示(TCI)状態を用いて構成されてもよく、ダウンリンクデータは1つまたは複数のTCI状態にわたってマッピングされてもよい。
【００４１】
いくつかの場合、共有チャネル(たとえば、物理ダウンリンク共有チャネル(PDSCH)、またはNR-PDSCH)を介してダウンリンクデータを受信するようにスケジューリングされるUEは、より高次のレイヤ(たとえば、無線リソース制御(RRC))の構成されたテーブルの行インデックスを提供する制御情報を受信することがあり、インデクシングされた行は、スロットオフセットK0、start and length indicator (SLIV)、および、PDSCH受信のために想定されるべきPDSCHマッピングタイプを定義する。いくつかの場合、PDSCHのために割り振られるスロットは、インデクシングされた行n+K0のK0によって決定されてもよく、ここでnはスケジューリングダウンリンク制御情報(DCI)を備えるスロットであってもよく、K0はPDSCHのヌメロロジーに基づいてもよい。いくつかの場合、スロットの開始に対する相対的な開始シンボルS、および、PDSCHのために割り振られたシンボルSから数えて連続するシンボルの数Lが、インデクシングされた行のstart and length indicator SLIVから決定され得る。
【００４２】
いくつかの場合、UEは、1つまたは複数のTCI状態を用いて構成されてもよく、ダウンリンクデータは1つまたは複数のTCI状態にわたってマッピングされてもよい。ビームフォーミングを展開するシステムでは、各ビーム(たとえば、各アナログビーム)は、別個のTCI状態と見なされ得る。さらに、基地局およびUEは、スロットの時間長内でTCI状態を切り替えることが可能であり得る。スロットレベルでSLIVパターンを構成するための技法は、複数のTCI状態ベースのPDSCH受信をサポートするには不適当であり得る。したがって、ミニスロットレベルのアグリゲーションのためのSLIVパターンが望まれ得る。
【００４３】
いくつかの場合、DCIは、基地局によって構成されるSLIVパターンのうちの1つを伝え得る。さらに、動作モード(たとえば、複数のTCI状態ベースのPDSCH送信)は、基地局によって決定され、RRCシグナリングを介して可能にされ得る。いくつかの場合、基地局は、UEから複数のビームのチャネル品質を示す報告を受信したことに基づいて、動作モードを決定し得る。UEは、チャネル品質報告に基づいて、複数のビームに対応する複数のTCI状態の指示を受信し得る。さらに、ミニスロットレベルにおける異なるSLIVパターンは、異なるTCI状態にわたるレート調整を可能にし得る。たとえば、基地局は、別のTCI状態よりも特定のTCI状態のために多くのリソースを割り振ることを決定し得る。ミニスロットレベルのアグリゲーションの例では、スロットは、各々が異なるTCI状態(たとえば、異なるビーム)と関連付けられる2つのミニスロットを備え得る。さらに、第2のミニスロットのSLIVパターンは、第1のミニスロットのSLIVパターンから暗黙的に導出され得る。
【００４４】
いくつかの他の場合には、スロットは、同じ時間長の複数のミニスロット(たとえば、2つ以上)を備え得る。さらに、複数のミニスロットの各々は、TCI状態と関連付けられ得る。そのような場合、ネットワークは、各々の個別のミニスロットのSLIVパターンを示す必要はないことがあり、それは、後続のミニスロットの各々の開始インジケータを導出するために、第1のミニスロットの長さインジケータLおよび開始インジケータSを使用することができるからである。代替として、複数のミニスロットの各々の開始インジケータSを備えるベクトルとなるように、K0を修正してもよい。
【００４５】
最初に、本開示の態様がワイヤレス通信システムの文脈で説明される。本開示の態様は、ミニスロットのためのリソース割振りパターンのシグナリングに関する通信メッセージ、プロセスフロー図、装置図、システム図、およびフローチャートを参照して、さらに例示され説明される。
【００４６】
図1は、本開示の態様による、ミニスロットのためのリソース割振りパターンのシグナリングをサポートするワイヤレス通信システム100の例を示す。ワイヤレス通信システム100は、基地局105と、UE115と、コアネットワーク130とを含む。いくつかの例では、ワイヤレス通信システム100は、Long Term Evolution(LTE)ネットワーク、LTE Advanced(LTE-A)ネットワーク、LTE-A Proネットワーク、またはNRネットワークであり得る。いくつかの場合、ワイヤレス通信システム100は、拡張ブロードバンド通信、超高信頼性(たとえば、ミッションクリティカル)通信、低レイテンシ通信、または低コストおよび低複雑度のデバイスとの通信をサポートし得る。
【００４７】
基地局105は、1つまたは複数の基地局アンテナを介して、UE115とワイヤレスに通信し得る。本明細書で説明される基地局105は、トランシーバ基地局、無線基地局、アクセスポイント、無線トランシーバ、NodeB、eNodeB(eNB)、次世代NodeBもしくはgiga-NodeB(それらのうちのいずれもgNBと呼ばれることがある)、Home NodeB、Home eNodeB、またはいくつかの他の好適な用語を含むことがあり、あるいは当業者によってそのように呼ばれることがある。ワイヤレス通信システム100は、異なるタイプの基地局105(たとえば、マクロセル基地局またはスモールセル基地局)を含み得る。本明細書で説明されるUE115は、マクロeNB、スモールセルeNB、gNB、中継基地局などを含む、様々なタイプの基地局105およびネットワーク機器と通信することが可能であり得る。
【００４８】
各基地局105は、様々なUE115との通信がサポートされる特定の地理的カバレッジエリア110と関連付けられ得る。各基地局105は、通信リンク125を介してそれぞれの地理的カバレッジエリア110のための通信カバレッジを提供することができ、基地局105とUE115との間の通信リンク125は、1つまたは複数のキャリアを利用することができる。ワイヤレス通信システム100において示される通信リンク125は、UE115から基地局105へのアップリンク送信、または基地局105からUE115へのダウンリンク送信を含み得る。ダウンリンク送信は順方向リンク送信と呼ばれることもあり、アップリンク送信は逆方向リンク送信と呼ばれることもある。
【００４９】
基地局105のための地理的カバレッジエリア110は、地理的カバレッジエリア110の一部分を構成するセクタに分割されてもよく、セクタはそれぞれセルと関連付けられてもよい。たとえば、各基地局105は、マクロセル、スモールセル、ホットスポット、もしくは他のタイプのセル、またはそれらの様々な組合せのための通信カバレッジを提供し得る。いくつかの例では、基地局105は可動であり、したがって、移動している地理的カバレッジエリア110のための通信カバレッジを提供し得る。いくつかの例では、異なる技術と関連付けられる異なる地理的カバレッジエリア110は、重複することがあり、異なる技術と関連付けられる、重複する地理的カバレッジエリア110は、同じ基地局105によって、または異なる基地局105によってサポートされることがある。ワイヤレス通信システム100は、たとえば、異なるタイプの基地局105が様々な地理的カバレッジエリア110のためのカバレッジを提供する、異種LTE/LTE-A/LTE-A ProまたはNRネットワークを含み得る。
【００５０】
「セル」という用語は、(たとえば、キャリア上での)基地局105との通信のために使用される論理通信エンティティを指し、同じまたは異なるキャリアを介して動作する近隣セルを区別するための識別子(たとえば、物理セル識別子(PCID)、仮想セル識別子(VCID))と関連付けられ得る。いくつかの例では、キャリアは、複数のセルをサポートすることがあり、異なるセルは、異なるタイプのデバイスのためのアクセスを提供し得る異なるプロトコルタイプ(たとえば、マシンタイプ通信(MTC)、狭帯域Internet-of-Things (NB-IoT)、拡張モバイルブロードバンド(eMBB)、または他のもの)に従って構成され得る。いくつかの場合、「セル」という用語は、その上で論理エンティティが動作する地理的カバレッジエリア110(たとえば、セクタ)の一部分を指すことがある。
【００５１】
UE115は、ワイヤレス通信システム100全体にわたって分散していることがあり、各UE115は固定式または移動式であり得る。UE115はまた、モバイルデバイス、ワイヤレスデバイス、リモートデバイス、ハンドヘルドデバイス、もしくは加入者デバイス、または何らかの他の適切な用語で呼ばれることがあり、「デバイス」はユニット、局、端末、またはクライアントと呼ばれることもある。UE115はまた、携帯電話、携帯情報端末(PDA)、タブレットコンピュータ、ラップトップコンピュータ、またはパーソナルコンピュータなどの個人用電子デバイスであり得る。いくつかの例では、UE115は、ワイヤレスローカルループ(WLL)局、Internet of Things (IoT)デバイス、Internet of Everything (IoE)デバイス、またはMTCデバイスなどを指すこともあり、これらは、家電機器、車両、メータなどの様々な物品において実装され得る。
【００５２】
MTCデバイスまたはIoTデバイスなどの、いくつかのUE115は、低コストまたは低複雑度のデバイスであることがあり、機械間の自動化された通信を(たとえば、マシンツーマシン(M2M)通信を介して)可能にすることがある。M2M通信またはMTCは、人が介在することなく、デバイスが互いにまたは基地局105と通信することを可能にするデータ通信技術を指すことがある。いくつかの例では、M2M通信またはMTCは、センサまたはメータを組み込んで情報を測定または捕捉し、その情報を利用できる中央サーバもしくはアプリケーションプログラムにその情報を中継するか、またはプログラムもしくはアプリケーションと対話する人間にその情報を提示する、デバイスからの通信を含むことがある。いくつかのUE115は、情報を集めるか、または機械の自動化された挙動を可能にするように設計され得る。MTCデバイスのための適用例の例は、スマートメータリング、在庫監視、水位監視、機器監視、ヘルスケア監視、野生生物監視、天候事象および地質学的事象の監視、船団の管理および追跡、リモートセキュリティ検知、物理的アクセス制御、ならびに取引ベースのビジネスの課金を含む。
【００５３】
いくつかのUE115は、半二重通信などの、電力消費を低減する動作モード(たとえば、送信または受信を介した単方向通信をサポートするが、送信および受信を同時にはサポートしないモード)を利用するように構成され得る。いくつかの例では、半二重通信は、低減されたピークレートで実行され得る。UE115のための他の電力節約技法は、アクティブな通信に関与していないとき、省電力「ディープスリープ」モードに入ること、または(たとえば、狭帯域通信に従って)限られた帯域幅にわたって動作することを含む。いくつかの場合、UE115は、重要な機能(たとえば、ミッションクリティカル機能)をサポートするように設計されることがあり、ワイヤレス通信システム100はこれらの機能のために超高信頼性通信を提供するように構成されることがある。
【００５４】
いくつかの場合、UE115はまた、(たとえば、ピアツーピア(P2P)プロトコルまたはデバイスツーデバイス(D2D)プロトコルを使用して)他のUE115と直接通信することが可能であり得る。D2D通信を利用するUE115のグループのうちの1つまたは複数が、基地局105の地理的カバレッジエリア110内にあり得る。そのようなグループ中の他のUE115は、基地局105の地理的カバレッジエリア110の外にあるか、または別様に基地局105からの送信を受信できないことがある。いくつかの場合、D2D通信を介して通信するUE115のグループは、各UE115がグループの中のあらゆる他のUE115に送信する1対多(1:M)システムを利用し得る。いくつかの場合、基地局105が、D2D通信のためのリソースのスケジューリングを促進する。他の場合には、D2D通信は、基地局105が関与することなくUE115間で行われる。
【００５５】
基地局105は、コアネットワーク130および互いと通信し得る。たとえば、基地局105は、バックホールリンク132を通じて(たとえば、S1または他のインターフェースを介して)コアネットワーク130とインターフェースし得る。基地局105は、バックホールリンク134上で(たとえば、X2または他のインターフェースを介して)、直接(たとえば、基地局105間で直接)または間接的に(たとえば、コアネットワーク130を介して)のいずれかで互いと通信し得る。
【００５６】
コアネットワーク130は、ユーザ認証、アクセス許可、追跡、インターネットプロトコル(IP)接続性、および他のアクセス機能、ルーティング機能、またはモビリティ機能を提供し得る。コアネットワーク130は、evolved packet core (EPC)であってよく、EPCは、少なくとも1つのモビリティ管理エンティティ(MME)と、少なくとも1つのサービングゲートウェイ(S-GW)と、少なくとも1つのパケットデータネットワーク(PDN)ゲートウェイ(P-GW)とを含むことがある。MMEは、EPCと関連付けられる基地局105によってサービスされるUE115のためのモビリティ、認証、およびベアラ管理などの、非アクセス層(たとえば、制御プレーン)機能を管理し得る。ユーザIPパケットは、それ自体がP-GWに接続され得るS-GWを通じて転送され得る。P-GWは、IPアドレス割振りならびに他の機能を提供し得る。P-GWは、ネットワーク事業者のIPサービスに接続され得る。事業者のIPサービスは、インターネット、イントラネット、IPマルチメディアサブシステム(IMS)、またはパケット交換(PS)ストリーミングサービスに対するアクセスを含み得る。
【００５７】
基地局105などのネットワークデバイスのうちの少なくともいくつかは、アクセスネットワークエンティティなどの下位構成要素を含んでもよく、アクセスネットワークエンティティは、アクセスノードコントローラ(ANC)の例であってもよい。各アクセスネットワークエンティティは、無線ヘッド、スマート無線ヘッド、または送受信ポイント(TRP)と呼ばれ得る、いくつかの他のアクセスネットワーク送信エンティティを通じて、UE115と通信し得る。いくつかの構成では、各アクセスネットワークエンティティまたは基地局105の様々な機能は、様々なネットワークデバイス(たとえば、無線ヘッドおよびアクセスネットワークコントローラ)にわたって分散されることがあり、または単一のネットワークデバイス(たとえば、基地局105)内に統合されることがある。
【００５８】
ワイヤレス通信システム100は、通常は300MHzから300GHzの範囲にある、1つまたは複数の周波数帯域を使用して動作し得る。一般に、300MHzから3GHzの領域は、極超短波(UHF:ultra-high frequency)領域またはデシメートル帯域として知られているが、これは、波長の長さが、およそ1デシメートルから1メートルに及ぶからである。UHF波は、建物および環境特性によって遮蔽されることがあり、または方向転換されることがある。しかしながら、これらの波は、マクロセルが屋内に位置するUE115にサービスを提供するのに十分に構造物を貫通し得る。UHF波の送信は、300MHz以下のスペクトルの高周波(HF)部分または超高周波(VHF)部分のより低い周波数およびより長い波を使用する送信と比較して、より小型のアンテナおよびより短い距離(たとえば、100km未満)と関連付けられ得る。
【００５９】
ワイヤレス通信システム100はまた、センチメートル帯域としても知られている、3GHzから30GHzまでの周波数帯域を使用する超高周波(SHF)領域の中で動作し得る。SHF領域は、他のユーザからの干渉を許容できるデバイスによって機会主義的に使用され得る、5GHzの産業科学医療(ISM)帯域などの帯域を含む。
【００６０】
ワイヤレス通信システム100は、ミリメートル帯域としても知られている、(たとえば、30GHzから300GHzの)スペクトルの極高周波(EHF)領域においても動作し得る。いくつかの例では、ワイヤレス通信システム100は、UE115と基地局105との間のmmW通信をサポートすることができ、それぞれのデバイスのEHFアンテナは、UHFアンテナよりもさらに小さく、間隔が密であってよい。いくつかの場合、これは、UE115内でのアンテナアレイの使用を容易にし得る。しかしながら、EHF送信の伝搬は、SHF送信またはUHF送信よりもさらに大きい大気減衰を受け、到達距離がより短いことがある。本明細書で開示される技法は、1つまたは複数の異なる周波数領域を使用する送信にわたって利用されることがあり、これらの周波数領域にわたる帯域の指定された使用は、国ごとにまたは規制団体ごとに異なり得る。
【００６１】
いくつかの場合、ワイヤレス通信システム100は、免許無線周波数スペクトル帯域と免許不要無線周波数スペクトル帯域の両方を利用することができる。たとえば、ワイヤレス通信システム100は、5GHz ISM帯域などの免許不要帯域において、License Assisted Access (LAA)、LTE Unlicensed (LTE-U)無線アクセス技術、またはNR技術を利用し得る。免許不要無線周波数スペクトル帯域で動作するとき、基地局105およびUE115などのワイヤレスデバイスは、データを送信する前に周波数チャネルがクリアであることを保証するために、リッスンビフォアトーク(LBT)手順を利用し得る。いくつかの場合、免許不要帯域における動作は、免許帯域において動作するCCとともにCA構成に基づき得る(たとえば、LAA)。免許不要スペクトルでの動作は、ダウンリンク送信、アップリンク送信、ピアツーピア送信、またはこれらの組合せを含み得る。免許不要スペクトルでの複信は、周波数分割複信(FDD)、時分割複信(TDD)、またはその両方の組合せに基づき得る。
【００６２】
いくつかの例では、基地局105またはUE115は、複数のアンテナを装備することがあり、これらのアンテナは、送信ダイバーシティ、受信ダイバーシティ、多入力多出力(MIMO)通信、またはビームフォーミングなどの技法を採用するために使用され得る。たとえば、ワイヤレス通信システム100は、送信デバイス(たとえば、基地局105)と受信デバイス(たとえば、UE115)との間である送信方式を使用することができ、ここで、送信デバイスは、複数のアンテナを装備し、受信デバイスは、1つまたは複数のアンテナを装備する。MIMO通信は、異なる空間レイヤを介して複数の信号を送信または受信することによってスペクトル効率を高めるためにマルチパス信号伝搬を利用することがあり、これは空間多重化と呼ばれることがある。複数の信号は、たとえば、異なるアンテナまたはアンテナの異なる組合せを介して送信デバイスによって送信され得る。同様に、複数の信号が、異なるアンテナまたはアンテナの異なる組合せを介して受信デバイスによって受信され得る。複数の信号の各々は、別個の空間ストリームと呼ばれることがあり、同じデータストリーム(たとえば、同じコードワード)または異なるデータストリームと関連付けられるビットを搬送し得る。異なる空間レイヤは、チャネル測定および報告のために使用される異なるアンテナポートと関連付けられ得る。MIMO技法は、複数の空間レイヤが同じ受信デバイスに送信されるシングルユーザMIMO(SU-MIMO)、および複数の空間レイヤが複数のデバイスに送信されるマルチユーザMIMO(MU-MIMO)を含む。
【００６３】
空間フィルタリング、指向性送信、または指向性受信とも呼ばれ得るビームフォーミングは、送信デバイスと受信デバイスとの間の空間経路に沿ってアンテナビーム(たとえば、送信ビームまたは受信ビーム)をシェーピングまたはステアリングするために送信デバイスまたは受信デバイス(たとえば、基地局105またはUE115)において使用され得る、信号処理技法である。ビームフォーミングは、アンテナアレイに対して特定の配向で伝搬する信号が強め合う干渉を受け、他の信号が弱め合う干渉を受けるように、アンテナアレイのアンテナ要素を介して通信される信号を結合することによって達成され得る。アンテナ要素を介して通信される信号の調整は、送信デバイスまたは受信デバイスが、デバイスと関連付けられたアンテナ要素の各々を介して搬送される信号に一定の振幅オフセットおよび位相オフセットを適用することを含み得る。アンテナ要素の各々と関連付けられた調整は、(たとえば、送信デバイスもしくは受信デバイスのアンテナアレイに対する、または何らかの他の配向に対する)特定の配向と関連付けられたビームフォーミング重みセットによって定義され得る。
【００６４】
一例では、基地局105は、UE115との指向性通信のためのビームフォーミング動作を行うために、複数のアンテナまたはアンテナアレイを使用し得る。たとえば、一部の信号(たとえば、同期信号、基準信号、ビーム選択信号、または他の制御信号)は、異なる方向に複数回基地局105によって送信されることがあり、これは、信号が送信の異なる方向と関連付けられた異なるビームフォーミングの重みセットに従って送信されることを含み得る。異なるビーム方向への送信は、基地局105による後続の送信および/または受信のためのビーム方向を(たとえば、基地局105またはUE115などの受信デバイスによって)特定するために使用され得る。特定の受信デバイスと関連付けられたデータ信号などのいくつかの信号は、単一のビーム方向(たとえば、UE115などの受信デバイスと関連付けられた方向)の中で基地局105によって送信され得る。いくつかの例では、単一のビーム方向に沿った送信と関連付けられたビーム方向は、異なるビーム方向に送信された信号に少なくとも部分的に基づいて決定され得る。たとえば、UE115は、基地局105によって異なる方向に送信された信号のうちの1つまたは複数を受信することができ、UE115は、それが最高の信号品質で、または別様に許容可能な信号品質で受信した信号の指示を、基地局105に報告することができる。これらの技法は基地局105によって1つまたは複数の方向に送信される信号に関して説明されるが、UE115は、異なる方向に複数回信号を送信するために(たとえば、UE115による後続の送信または受信のためのビーム方向を特定するために)、または単一の方向に信号を送信するために(たとえば、データを受信デバイスに送信するために)同様の技法を利用し得る。
【００６５】
受信デバイス(たとえば、mmW受信デバイスの例であり得るUE115)は、同期信号、基準信号、ビーム選択信号、または他の制御信号などの様々な信号を基地局105から受信するとき、複数の受信ビームを試みることができる。たとえば、受信デバイスは、異なるアンテナサブアレイを介して受信することによって、異なるアンテナサブアレイに従って、受信された信号を処理することによって、アンテナアレイの複数のアンテナ要素において受信された信号に適用された異なる受信ビームフォーミング重みセットに従って受信することによって、またはアンテナアレイの複数のアンテナ要素において受信された信号に適用された異なる受信ビームフォーミング重みセットに従って、受信された信号を処理することによって、複数の受信方向を試みることができ、それらのいずれもが、異なる受信ビームまたは受信方向に従った「聴取」と呼ばれることがある。いくつかの例では、受信デバイスは、(たとえば、データ信号を受信するとき)単一のビーム方向に沿って受信するために単一の受信ビームを使用し得る。単一の受信ビームは、異なる受信ビーム方向に従った聴取に基づいて決定されたビーム方向(たとえば、複数のビーム方向に従った聴取に基づいて、最高の信号強度、最高の信号対雑音比、または別様に、許容可能な信号品質を有すると決定されたビーム方向)に揃えられ得る。
【００６６】
いくつかの場合、基地局105またはUE115のアンテナは、MIMO動作をサポートし得るか、またはビームフォーミングを送信もしくは受信し得る、1つまたは複数のアンテナアレイ内に位置し得る。たとえば、1つもしくは複数の基地局アンテナまたはアンテナアレイは、アンテナタワーなどのアンテナアセンブリにおいて併置され得る。いくつかの場合、基地局105と関連付けられるアンテナまたはアンテナアレイは、異なる地理的位置に配置され得る。基地局105は、基地局105がUE115との通信のビームフォーミングをサポートするために使用し得るアンテナポートのいくつかの行および列を有するアンテナアレイを有し得る。同様に、UE115は、様々なMIMO動作またはビームフォーミング動作をサポートすることができる1つまたは複数のアンテナアレイを有し得る。
【００６７】
いくつかの場合、ワイヤレス通信システム100は、階層化プロトコルスタックに従って動作するパケットベースのネットワークであり得る。ユーザプレーンでは、ベアラまたはパケットデータコンバージェンスプロトコル(PDCP)レイヤにおける通信は、IPベースであり得る。無線リンク制御(RLC)レイヤは、いくつかの場合には、論理チャネルを介して通信するために、パケットのセグメント化および再アセンブリを実行し得る。媒体アクセス制御(MAC)レイヤは、優先処理、およびトランスポートチャネルへの論理チャネルの多重化を実行し得る。MACレイヤはまた、MACレイヤにおける再送信を行ってリンク効率を改善するために、ハイブリッド自動再送要求(HARQ)を使用し得る。制御プレーンでは、RRCプロトコルレイヤは、ユーザプレーンデータのための無線ベアラをサポートする、UE115と基地局105またはコアネットワーク130との間のRRC接続の確立、構成、および保守を行い得る。物理レイヤにおいて、トランスポートチャネルは物理チャネルにマッピングされ得る。
【００６８】
いくつかの場合、UE115および基地局105は、データが受信に成功する可能性を高めるためにデータの再送信をサポートし得る。HARQフィードバックは、データが通信リンク125上で正しく受信される可能性を高める1つの技法である。HARQは、(たとえば、巡回冗長検査(CRC)を使用する)誤り検出、前方誤り訂正(FEC)、および再送信(たとえば、自動再送要求(ARQ))の組合せを含み得る。HARQは、劣悪な無線条件(たとえば、信号対雑音条件)の中でMACレイヤにおけるスループットを改善し得る。いくつかの場合、ワイヤレスデバイスが同一スロットHARQフィードバックをサポートすることがあり、同一スロットHARQフィードバックにおいて、デバイスは、特定のスロット中の前のシンボルにおいて受信されたデータに対するHARQフィードバックを、そのスロットにおいて提供し得る。他の場合には、デバイスは、後続のスロットの中で、またはいくつかの他の時間間隔に従って、HARQフィードバックを提供し得る。
【００６９】
LTEまたはNRにおける時間間隔は、たとえば、Ts=1/30,720,000秒というサンプリング周期を基準とし得る、基本時間単位の倍数で表され得る。通信リソースの時間間隔は、10ミリ秒(ms)の時間長を各々有する無線フレームに従って編成されることがあり、ここでフレーム期間はTf=307,200 Tsと表されることがある。無線フレームは、0から1023に及ぶシステムフレーム番号(SFN)によって識別され得る。各フレームは、0から9までの番号を付けられた10個のサブフレームを含んでもよく、各サブフレームは、1msの時間長を有し得る。サブフレームは、0.5msの時間長を各々が有する2つのスロットにさらに分割されてもよく、各スロットは、(たとえば、各シンボル期間にプリペンドされたサイクリックプレフィックスの長さに依存して)6つまたは7つの変調シンボル期間を含み得る。いくつかの例では(たとえば、NRシステムでは)、スロットは、普通のCPが構成される場合には14個のOFDMシンボルを、拡張されたCPが構成される場合には12個のOFDMシンボルを含み得る。サイクリックプレフィックスを除いて、各シンボル期間は2048個のサンプリング周期を含み得る。いくつかの場合、サブフレームは、ワイヤレス通信システム100の最小スケジューリング単位であってもよく、送信時間間隔(TTI)と呼ばれることがある。他の場合には、ワイヤレス通信システム100の最小スケジューリング単位はサブフレームよりも短いことがあるか、または(たとえば、短縮TTI(sTTI)のバーストにおいて、またはsTTIを使用する選択されたコンポーネントキャリアにおいて)動的に選択されることがある。
【００７０】
いくつかのワイヤレス通信システムでは、スロットは、1つまたは複数のOFDMシンボルを含む複数のミニスロットにさらに分割され得る。ミニスロットの時間長は、スロットの時間長未満であり得る。たとえば、スロット時間長が14個のOFDMシンボルとして構成される場合、ミニスロットの時間長は14個のOFDMシンボル未満であり得る。スロット内の複数のミニスロットが、互いに同じまたは異なる時間長を有し得る。いくつかの事例では、ミニスロットのシンボルまたはミニスロットは、スケジューリングの最小単位であり得る。各シンボルは、たとえば、動作のサブキャリア間隔または周波数帯域に応じて、時間長が変わり得る。さらに、一部のワイヤレス通信システムは、UE115と基地局105との間の通信のために複数のスロットまたはミニスロットが一緒に集約されて使用される、スロットアグリゲーションを実装し得る。
【００７１】
「キャリア」という用語は、通信リンク125を介した通信をサポートするための定義された物理レイヤ構造を有する無線周波数スペクトルリソースのセットを指す。たとえば、通信リンク125のキャリアは、所与の無線アクセス技術に対する物理レイヤチャネルに従って動作する無線周波数スペクトル帯域の一部分を含み得る。各物理レイヤチャネルは、ユーザデータ、制御情報、または他のシグナリングを搬送することができる。キャリアは、事前に定義された周波数チャネル(たとえば、E-UTRA絶対無線周波数チャネル番号(EARFCN))と関連付けられることがあり、UE115による発見のためにチャネルラスタに従って配置されることがある。キャリアは、(たとえば、FDDモードでは)ダウンリンクもしくはアップリンクであってよく、または(たとえば、TDDモードでは)ダウンリンク通信およびアップリンク通信を搬送するように構成され得る。いくつかの例では、キャリア上で送信される信号波形は、(たとえば、OFDMまたはDFT-s-OFDMなどのマルチキャリア変調(MCM)技法を使用して)複数のサブキャリアから構成され得る。
【００７２】
キャリアの組織構造は、異なる無線アクセス技術(たとえば、LTE、LTE-A、LTE-A Pro、NRなど)に対して異なり得る。たとえば、キャリアを介した通信は、TTIまたはスロットに従って編成されることがあり、それらの各々が、ユーザデータの復号をサポートするために、ユーザデータならびに制御情報またはシグナリングを含むことがある。キャリアはまた、専用の取得シグナリング(たとえば、同期信号またはシステム情報など)と、キャリアに対する動作を協調させる制御シグナリングとを含み得る。いくつかの例では(たとえば、キャリアアグリゲーション構成)では、キャリアはまた、取得シグナリング、または他のキャリアに対する動作を協調させる制御シグナリングを有し得る。
【００７３】
物理チャネルは、様々な技法に従ってキャリア上で多重化され得る。物理制御チャネルおよび物理データチャネルは、たとえば、時分割多重化(TDM)技法、周波数分割多重化(FDM)技法、またはハイブリッドTDM-FDM技法を使用して、ダウンリンクキャリア上で多重化され得る。いくつかの例では、物理制御チャネルにおいて送信される制御情報は、カスケード方式で異なる制御領域の間で(たとえば、共通制御領域または共通探索空間と1つまたは複数のUE固有制御領域またはUE固有探索空間との間で)分散され得る。
【００７４】
キャリアは、無線周波数スペクトルの特定の帯域幅と関連付けられてもよく、いくつかの例では、キャリア帯域幅は、キャリアまたはワイヤレス通信システム100の「システム帯域幅」と呼ばれ得る。たとえば、キャリア帯域幅は、特定の無線アクセス技術のキャリアのためのいくつかの所定の帯域幅(たとえば、1.4、3、5、10、15、20、40、または80MHz)のうちの1つであり得る。いくつかの例では、各々のサービスされるUE115は、キャリア帯域幅のいくつかの部分またはすべてにわたって動作するために構成され得る。他の例では、いくつかのUE115は、キャリア内の事前定義された部分または範囲(たとえば、サブキャリアまたはRBのセット)と関連付けられた狭帯域プロトコルタイプを使用する動作(たとえば、狭帯域プロトコルタイプの「帯域内」展開)のために構成され得る。
【００７５】
MCM技法を利用するシステムでは、リソース要素は1つのシンボル期間(たとえば、1つの変調シンボルの時間長)および1つのサブキャリアからなってもよく、シンボル期間およびサブキャリア間隔は反比例する。各リソース要素によって搬送されるビットの数は、変調方式(たとえば、変調方式の次数)に依存し得る。したがって、UE115が受信するリソース要素が多いほど、かつ変調方式の次数が高いほど、UE115のデータレートは高くなり得る。MIMOシステムでは、ワイヤレス通信リソースとは、無線周波数スペクトルリソース、時間リソース、および空間リソース(たとえば、空間レイヤ)の組合せを指すことがあり、複数の空間レイヤの使用が、UE115との通信のためのデータレートをさらに高め得る。
【００７６】
ワイヤレス通信システム100のデバイス(たとえば、基地局105またはUE115)は、特定のキャリア帯域幅を介した通信をサポートするハードウェア構成を有してもよく、またはキャリア帯域幅のセットのうちの1つを介した通信をサポートするように構成可能であってもよい。いくつかの例では、ワイヤレス通信システム100は、1より多くの異なるキャリア帯域幅と関連付けられたキャリアを介した同時通信をサポートすることができる基地局105および/またはUE115を含み得る。
【００７７】
ワイヤレス通信システム100は、複数のセルまたはキャリア上でのUE115との通信、すなわち、キャリアアグリゲーション(CA)またはマルチキャリア動作と呼ばれることがある特徴をサポートし得る。UE115は、キャリアアグリゲーション構成に従って、複数のダウンリンクCCおよび1つまたは複数のアップリンクCCを用いて構成され得る。キャリアアグリゲーションは、FDDコンポーネントキャリアとTDDコンポーネントキャリアの両方とともに使用され得る。
【００７８】
いくつかの場合、ワイヤレス通信システム100は拡張コンポーネントキャリア(eCC)を利用し得る。eCCは、より広いキャリアまたは周波数チャネル帯域幅、より短いシンボル時間長、より短いTTI時間長、または修正された制御チャネル構成を含む、1つまたは複数の特徴によって特徴付けられ得る。いくつかの場合、eCCは、(たとえば、複数のサービングセルが準最適または理想的でないバックホールリンクを有するとき)キャリアアグリゲーション構成またはデュアル接続性構成と関連付けられ得る。eCCはまた、(たとえば、2つ以上の事業者が、スペクトルを使用することを許可される場合)免許不要スペクトルまたは共有スペクトルにおいて使用するために構成され得る。広いキャリア帯域幅によって特徴付けられるeCCは、全キャリア帯域幅を監視することが可能でないか、またはさもなければ(たとえば、電力を節約するために)限られたキャリア帯域幅を使用するように構成されるUE115によって利用され得る、1つまたは複数のセグメントを含み得る。
【００７９】
いくつかの場合、eCCは、他のCCのシンボル時間長と比較して縮小されたシンボル時間長の使用を含み得る、他のCCとは異なるシンボル時間長を利用し得る。より短いシンボル時間長は、隣接するサブキャリア間の間隔の増大と関連付けられ得る。eCCを利用する、UE115または基地局105などのデバイスは、低減されたシンボル時間長(たとえば、16.67マイクロ秒)で、(たとえば、20、40、60、80MHzなどの周波数チャネルまたはキャリア帯域幅による)広帯域信号を送信し得る。eCCの中のTTIは、1個または複数のシンボル期間からなり得る。いくつかの場合、TTI時間長(すなわち、TTI中のシンボル期間の数)は可変であり得る。
【００８０】
NRシステムなどのワイヤレス通信システムは、とりわけ、免許スペクトル、共有スペクトル、および免許不要スペクトル帯域の任意の組合せを利用し得る。eCCシンボル時間長およびサブキャリア間隔の柔軟性によって、複数のスペクトルにわたるeCCの使用が可能になり得る。いくつかの例では、特にリソースの動的な(たとえば、周波数領域にわたる)垂直共有および(たとえば、時間領域にわたる)水平共有を通じて、NR共有スペクトルは、スペクトル利用率およびスペクトル効率を高め得る。
【００８１】
いくつかの場合、基地局105は、ミニスロットレベルでSLIVパターンを構成することが可能であり得る。いくつかの場合、基地局105は、CQI報告、または別のUEフィードバック報告に基づいて、動作モードを決定し得る。たとえば、UE115は、複数のビームに対するチャネル品質を示す報告を送信してもよく、複数のビームに対応する複数のTCI状態の指示を受信してもよい。
【００８２】
いくつかの場合、基地局105からTCI状態の指示を受信したことに加えて、UE115は、ダウンリンク制御チャネルを介して搬送される制御情報(たとえば、DCI)も受信し得る。いくつかの場合、DCIは、時間領域PDSCHリソースフィールドを備えてもよく、これは、より高次のレイヤの構成されたテーブルの行インデックスを提供し得る。行インデックスは、SLIVパターンを含む、ダウンリンクデータがそれを介して受信され得るリソースを決定する際に、UE115を支援し得る。いくつかの場合、SLIVパターンは、UE115がそれに基づいて1つまたは複数の他のミニスロットの開始時間および長さを暗黙的に導出することが可能であり得る、第1のミニスロットの開始時間および長さの指示を提供し得る。いくつかの場合、スロットにより包含されるミニスロットの数が2を超え、ミニスロットの時間長が等しい場合、スロットオフセットK0は、複数のミニスロットの開始インジケータ(S)を示すベクトルを備え得る。いくつかの他の場合には、ミニスロットの数が2に等しい場合、第2のミニスロットのSLIVパターンは、第1のミニスロットのSLIVパターンから暗黙的に導出され得る。いくつかの場合、第1のミニスロットおよび第2のミニスロットは、時間長が異なることがあり、これは、複数のビームにわたるレート調整に基づくことがある。たとえば、基地局105は、別のTCI状態よりも特定のTCI状態のために多くのリソースを割り振ることを決定し得る。
【００８３】
図2は、本開示の態様による、ミニスロットのためのリソース割振りパターンのシグナリングをサポートするワイヤレス通信システム200の例を示す。いくつかの例では、ワイヤレス通信システム200は、ワイヤレス通信システム100の態様を実装してもよく、図1を参照して説明されたUE115と基地局105との例であり得る、UE115-aと基地局105-aとを含んでもよい。UE115-aおよび基地局105-aは、たとえば、指向性のビームを使用して通信することがあり、mmWスペクトルを使用して動作することがある。場合によっては、UE115-aおよび基地局105-aは、mmWスペクトル以外のスペクトル(たとえば、周波数が6GHz未満のスペクトル(サブ6GHz))において動作してもよい。
【００８４】
いくつかの場合、基地局105-aおよび/またはUE115-aは、追加の経路損失の結果として、ワイヤレス信号の強度を高めるためにビームフォーミング技法を利用することがある。たとえば、基地局105-aは、データおよび/または制御情報を搬送する複数のダウンリンクのビームフォーミングされた信号205を送信し得る。ビームフォーミングされた信号205(たとえば、ビームフォーミングされた信号205-a、ビームフォーミングされた信号205-b、またはビームフォーミングされた信号205-c)は、各々のビームフォーミングされた信号205が異なる方向に送信されるような、成形された方式または指向性の方式で送信されてもよく、TCI状態であると見なされてもよい。ビームフォーミングされた信号205は、アンテナポートプリコーダ構成(たとえば、各々のビームフォーミングされた信号205の方向および/または形状を決定するアナログおよび/またはデジタルビームフォーミング段階)と関連付けられ得る。たとえば、ビームフォーミングされた信号205-aは第1の方向または形状において送信されることがあり、ビームフォーミングされた信号205-bは第2の方向または形状において送信されることがあり、ビームフォーミングされた信号205-cは第3の方向または形状において送信されることがある。ビームフォーミングされた信号205は、ある掃引パターンで送信されることがある。加えて、1つまたは複数のビームフォーミングされた信号205(たとえば、ビームフォーミングされた信号205-d、ビームフォーミングされた信号205-e、およびビームフォーミングされた信号205-f)を、UE115-aは送信することができ、基地局105-aは受信することができる。
【００８５】
いくつかの場合、UE115-aは、PDSCH、またはNR-PDSCHなどの、ダウンリンク共有チャネルを介してダウンリンクデータを受信するようにスケジューリングされ得る。いくつかの場合、PDSCHリソース割振りは、ダウンリンク制御チャネル(たとえば、物理ダウンリンク制御チャネル(PDCCH)またはNR-PDCCH)上で搬送されるDCIを介して示され得る。いくつかの場合、DCIは、時間領域PDSCHリソースフィールドを備えてもよく、これは、より高次のレイヤ(たとえば、RRC)の構成されたテーブルの行インデックスを提供し得る。行インデックスは、ダウンリンクデータがそれを介して受信され得る時間または周波数リソースを決定する際にUE115-aを助け得る。たとえば、インデクシングされた行は、スロットオフセットK0、およびstart and length indicator SLIVを定義し得る。前に説明されたように、UE115-aのためにスケジューリングされたダウンリンクデータは、1つまたは複数のダウンリンクのビームフォーミングされた信号205に対応する複数のTCI状態を介して受信され得る。図2を参照して説明された例は、ダウンリンクデータの受信のためのリソース割振りパターンを参照するが、本明細書で説明されるリソース割振りパターン技法は、アップリンク送信をスケジューリングすることにも適用され得ることを理解されたい。
【００８６】
いくつかの場合、UE115-aは、基地局105-aから送信された複数のビームフォーミングされた信号205のうちの1つまたは複数を受信し得る。いくつかの場合、基地局105-aは、ミニスロットレベルにおいてSLIV構成を実行し得る。UE115-aは、複数のビームフォーミングされた信号205のチャネル品質を示す報告を送信してもよく、UE115-aはその報告で、複数のビームに対応する複数のTCI状態の指示を受信してもよい。PDSCHのために割り振られるスロットは、インデクシングされた行n+K0のK0によって決定されてもよく、ここでnはスケジューリングDCIを備えるスロットであってもよく、K0はPDSCHのヌメロロジーに基づいてもよい。いくつかの場合、第1のミニスロットが位置するスロットの開始に対する相対的な第1のミニスロットの開始シンボルS、および、PDSCHのために割り振られたシンボルSから数えて連続するシンボルの数Lが、インデクシングされた行のstart and length indicator SLIVから決定され得る。ミニスロットレベルにおける異なるSLIVパターンは、異なるTCI状態にわたるレート調整を可能にし得る。たとえば、基地局105-aは、別のTCI状態よりも特定のTCI状態のために多くの時間領域リソースを割り振ることを決定し得る。いくつかの場合、UE115-aは、第1のミニスロットのSLIVパターンに基づいて、後続のミニスロットの開始および時間長を決定し得る。このことは、基地局105-aまたはネットワークが、各々の個別のミニスロットのSLIVパターンを示す必要性を減らすことがあり、これにより、図3を参照して以下でさらに説明されるように、明示的な指示と関連付けられるオーバーヘッドは限定的になり得る。
【００８７】
図3は、本開示の態様による、ミニスロットのためのリソース割振りパターンのシグナリングをサポートするワイヤレス通信メッセージ301および302の例を示す。ワイヤレス通信メッセージ301は、スロット305-aを介して送信され得る。スロット305-aは、1つまたは複数の時間インクリメント(たとえば、OFDMシンボル)へと分割され得る。この例では、スロット305-aは14個のOFDMシンボルを含む。しかしながら、利用されるスロットのタイプまたはワイヤレスシステムのタイプに応じて、時間の他の増分が使用され得ることを理解されたい。いくつかの場合、示されるように、スロット305-aはさらに、1つまたは複数のミニスロット310(たとえば、ミニスロット310-aおよびミニスロット310-b)へと分割され得る。ミニスロット310-aは6個のOFDMシンボルの時間長を有してもよく、ミニスロット310-bは8個のOFDMシンボルの時間長を有してもよい。図3を参照して説明されたスロット305-aは、アップリンクまたはダウンリンク通信に使用されるスロットおよびミニスロットにも適用され得ることを理解されたい。
【００８８】
ワイヤレス通信メッセージ301は、ミニスロットレベルにおけるSLIVパターンの暗黙的な決定の例を示し得る。たとえば、第2のミニスロット310-bのSLIVパターンは、第1のミニスロット310-aのSLIVパターンから暗黙的に導出され得る。UE(たとえば、図1および図2を参照して説明されたようなUE115)は、第1のSLIVパターンのためのSおよびLを伝えるDCIメッセージを受信し得る。示される例では、第1のミニスロット310-aに対して、Sは0であり、Lは6である。UEは、この情報を使用して、第2のミニスロット310-bの開始および時間長を暗黙的に決定し得る。たとえば、第2のミニスロット310-bの開始インジケータは、S+Lから決定されてもよく、これはこの例では6になる。第2のミニスロット310-bの長さは(N-L)から決定されてもよく、ここでNはスロットのために構成されるシンボルの総数(この例では14)である。したがって、この例における第2のミニスロット310-bの長さは、8としてUEによって暗黙的に決定される。後続のミニスロットの開始および長さを決定するための他の技法も、UEによって利用され得る。たとえば、第1のミニスロット310-aの開始位置が0以外の何かであった場合、UEは、どれだけのOFDMシンボルがスロット305-aに残っているかを決定することによって(第2のミニスロット310-bがスロット境界において終わることになる場合)、第2のミニスロット310-bの長さを決定し得る。
【００８９】
ワイヤレス通信メッセージ302は、ミニスロットレベルにおけるSLIVパターンの暗黙的な決定の別の例を示し得る。図示されるように、スロット305-bは複数のミニスロット310(たとえば、ミニスロット310-c、310-d、310-e、310-f、310-g、310-h、および310-i)を備えてもよく、それらの各々が、同じ長さであってもよく(すなわち、この例では2個のOFDMシンボル)、それぞれのTCI状態と関連付けられてもよい。いくつかの場合、ネットワークまたは基地局(たとえば、図1および図2を参照して説明されるような基地局105)は、複数のミニスロットのパターンを示す必要はないことがあり、それは、後続のミニスロットの各々の開始インジケータ(すなわち、S+L、S+2Lなど)を導出するために、第1のミニスロットの長さインジケータLおよび開始インジケータSを使用することができるからである。代替として、複数のミニスロット310の各々の開始インジケータ(すなわち、S+L、S+2Lなど)のベクトルとなるように、K0を修正してもよい。
【００９０】
いくつかの場合、ミニスロット310-aおよび310-bは各々、異なるTCI状態と関連付けられてもよく、複数のTCI状態を介したPDSCH受信を可能にする。たとえば、ダウンリンクデータは、ミニスロット310-c〜310-iと関連付けられるTCI状態にわたってマッピングされ得る。いくつかの場合、UEは、ミニスロット310-c〜310-iのうちの1つまたは複数の間に複数のビームのうちの第1のビーム上でダウンリンクデータ送信の1つまたは複数の部分を受信し得る。さらに、UEは、第2のビーム上でダウンリンクデータ送信の1つまたは複数の追加の部分を受信するために、複数のビームからの第2のビームに切り替え得る。ここで、UEは、後続のミニスロット310の間に、ダウンリンクデータ送信の1つまたは複数の追加の部分を受信し得る。基地局は、本明細書で説明される技法を利用して、任意の数のビーム(またはTCI状態)での受信のために、任意の数のミニスロット310を柔軟にスケジューリングすることができ、シグナリングオーバーヘッドを減らす方式で、関連付けられるリソース割振りパターンをUEに示すことができる(たとえば、UEが後続の1つまたは複数のミニスロット310の開始および時間長を示唆し得るように、第1のミニスロット310のSLIVパターンをDCIを介して示すことができる)ことを理解されたい。
【００９１】
図4は、本開示の態様による、ミニスロットのためのリソース割振りパターンのシグナリングをサポートするプロセスフロー400の例を示す。いくつかの例では、プロセスフロー400によって示されるプロセスは、図1および図2を参照して説明されたような、UE115および基地局105の例であり得る、UE115-bおよび基地局105-bによって実装され得る。いくつかの例では、プロセスフロー400によって示されるプロセスは、mmW通信またはサブ6GHzスペクトルを利用するワイヤレスシステムにおいて実施され得る。
【００９２】
405において、UE115-bは、送信のために構成された複数のビームのチャネル品質を示す報告を送信し得る。このプロセスは、定期的なもしくは非定期的なプロセス、ビーム同期プロセス、または何らかの他の同様のプロセスの一部であってもよく、チャネル品質インジケータ報告などの報告を含んでもよい。
【００９３】
410において、報告に基づいて、複数のビームに対応する複数のTCI状態の指示を、基地局105-bは送信してもよく、UE115-bは受信してもよい。たとえば、TCI状態の指示は、UE115-bと基地局105-bとの間のビームフォーミングされた通信のために複数の異なるビーム(たとえば、異なるアナログビーム)を構成し得る。いくつかの場合、指示は、RRCシグナリングまたは何らかの他のより高次のレイヤのシグナリングを備え得る。
【００９４】
415において、UE115-bは、複数のビームおよび複数のミニスロットを使用した送信のために構成されるダウンリンク送信のリソース割振りパターンを示す制御情報(たとえば、start and length indicator)を受信し得る。上で説明されたように、ミニスロットの時間長は、スロットの時間長未満であり得る。制御情報は、DCI、または何らかの他のダウンリンク制御情報を介して送信され得る。
【００９５】
420において、UE115-bは、リソース割振りパターンに基づいて、複数のミニスロットのうちの第1のミニスロットの開始時間および第1のミニスロットの長さを特定し得る。
【００９６】
425において、UE115-bは、第1のミニスロットの長さと、第1のミニスロットおよび第2のミニスロットを包含するスロットの長さとに基づいて、第2のミニスロット(または複数の後続のミニスロット)の開始時間および長さを決定し得る。いくつかの場合、第1のミニスロットの時間長は、第2のミニスロットの時間長とは異なっていてもよく、2つのミニスロットの時間長は、複数のビームにわたるレート調整に基づいてもよい。他の場合には、2つ以上のミニスロットの時間長は同じであり得る。
【００９７】
430において、UE115-bは、第1のミニスロットの間に、および、少なくとも第1のミニスロットの開始時間と第1のミニスロットの長さとに基づいて、複数のビームのうちの第1のビーム上でダウンリンク送信の第1の部分を受信し得る。
【００９８】
いくつかの場合、435において、UE115-bは、第2のミニスロットの間にダウンリンク送信の第2の部分を受信するために、複数のビームのうちの第2のビームに切り替え得る。ビーム切り替えの数およびダウンリンク送信の数または部分(ならびにミニスロットの数)はすべて、本明細書で説明される技法に従って、基地局105-bによって柔軟に構成されシグナリングされ得る。
【００９９】
440において、UE115-bは、第2のミニスロットの間にダウンリンク送信の第2の部分を受信し得る。
【０１００】
図5は、本開示の態様による、ミニスロットのためのリソース割振りパターンのシグナリングをサポートするデバイス505のブロック図500を示す。デバイス505は、本明細書で説明されるようなUE115の態様の例であり得る。デバイス505は、受信機510と、通信マネージャ515と、送信機520とを含み得る。デバイス505は、プロセッサも含み得る。これらの構成要素の各々は、(たとえば、1つまたは複数のバスを介して)互いに通信していてもよい。
【０１０１】
受信機510は、パケット、ユーザデータ、または様々な情報チャネルと関連付けられる制御情報(たとえば、制御チャネル、データチャネル、および、ミニスロットのためのリソース割振りパターンのシグナリングに関する情報など)などの情報を受信し得る。情報は、デバイス505の他の構成要素に受け渡され得る。受信機510は、図8を参照して説明されるトランシーバ820の態様の例であり得る。受信機510は、単一のアンテナまたはアンテナのセットを利用し得る。
【０１０２】
通信マネージャ515は、ビームのセットおよびミニスロットのセットを使用した送信のために構成されるダウンリンク送信のリソース割振りパターンを示す制御情報を受信することであって、ミニスロットの時間長がスロットの時間長未満である、ことと、リソース割振りパターンに基づいて、ミニスロットのセットのうちの第1のミニスロットの開始時間および第1のミニスロットの長さを特定することと、第1のミニスロットの開始時間および第1のミニスロットの長さに基づいてダウンリンク送信を受信することとを行い得る。通信マネージャ515は、本明細書で説明される通信マネージャ810の態様の例であり得る。
【０１０３】
通信マネージャ515またはその下位構成要素は、ハードウェアで実装されてもよく、プロセッサによって実行されるコード(たとえば、ソフトウェアまたはファームウェア)で実装されてもよく、またはこれらの任意の組合せで実装されてもよい。プロセッサによって実行されるコードで実装される場合、通信マネージャ515またはその下位構成要素の機能は、汎用プロセッサ、DSP、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示で説明される機能を実行するように設計されたそれらの任意の組合せによって実行され得る。
【０１０４】
通信マネージャ515またはその下位構成要素は、機能の部分が1つまたは複数の物理構成要素によって異なる物理的位置において実装されるように分散されることを含めて、様々な場所において物理的に位置し得る。いくつかの例では、通信マネージャ515またはその下位構成要素は、本開示の様々な態様による別個のおよび異なる構成要素であり得る。いくつかの例では、通信マネージャ515またはその下位構成要素は、限定はされないが、入出力(I/O)構成要素、トランシーバ、ネットワークサーバ、別のコンピューティングデバイス、本開示で説明される1つまたは複数の他の構成要素、または本開示の様々な態様によるそれらの組合せを含む、1つまたは複数の他のハードウェア構成要素と組み合わせられ得る。
【０１０５】
送信機520は、デバイス505の他の構成要素によって生成された信号を送信し得る。いくつかの例では、送信機520は、トランシーバモジュールにおいて受信機510と併置されてもよい。たとえば、送信機520は、図8を参照して説明されるトランシーバ820の態様の例であり得る。送信機520は、単一のアンテナまたはアンテナのセットを利用し得る。
【０１０６】
図6は、本開示の態様による、ミニスロットのためのリソース割振りパターンのシグナリングをサポートするデバイス605のブロック図600を示す。デバイス605は、本明細書で説明されたようなデバイス505またはUE115の態様の例であり得る。デバイス605は、受信機610と、通信マネージャ615と、送信機635とを含み得る。デバイス605は、プロセッサも含み得る。これらの構成要素の各々は、(たとえば、1つまたは複数のバスを介して)互いに通信していてもよい。
【０１０７】
受信機610は、パケット、ユーザデータ、または様々な情報チャネルと関連付けられる制御情報(たとえば、制御チャネル、データチャネル、および、ミニスロットのためのリソース割振りパターンのシグナリングに関する情報など)などの情報を受信し得る。情報は、デバイス605の他の構成要素に受け渡され得る。受信機610は、図8を参照して説明されるトランシーバ820の態様の例であり得る。受信機610は、単一のアンテナまたはアンテナのセットを利用し得る。
【０１０８】
通信マネージャ615は、本明細書で説明されるような通信マネージャ515の態様の例であり得る。通信マネージャ615はまた、制御チャネル構成要素620、SLIV構成要素625、および共有チャネル構成要素630を含み得る。通信マネージャ615は、本明細書で説明される通信マネージャ810の態様の例であり得る。
【０１０９】
制御チャネル構成要素620は、ビームのセットおよびミニスロットのセットを使用した送信のために構成されるダウンリンク送信のリソース割振りパターンを示す制御情報を受信してもよく、ミニスロットの時間長はスロットの時間長未満である。
【０１１０】
SLIV構成要素625は、リソース割振りパターンに基づいて、ミニスロットのセットのうちの第1のミニスロットの開始時間および第1のミニスロットの長さを特定し得る。
【０１１１】
共有チャネル構成要素630は、第1のミニスロットの開始時間および第1のミニスロットの長さに基づいて、ダウンリンク送信を受信し得る。
【０１１２】
送信機635は、デバイス605の他の構成要素によって生成された信号を送信し得る。いくつかの例では、送信機635は、トランシーバモジュールにおいて受信機610と併置されてもよい。たとえば、送信機635は、図8を参照して説明されるトランシーバ820の態様の例であり得る。送信機635は、単一のアンテナまたはアンテナのセットを利用し得る。
【０１１３】
図7は、本開示の態様による、ミニスロットのためのリソース割振りパターンのシグナリングをサポートする通信マネージャ705のブロック図700を示す。通信マネージャ705は、本明細書で説明される通信マネージャ515、通信マネージャ615、または通信マネージャ810の態様の例であり得る。通信マネージャ705は、制御チャネル構成要素710、SLIV構成要素715、共有チャネル構成要素720、チャネル品質構成要素725、およびTCI状態構成要素730を含み得る。これらのモジュールの各々は、(たとえば、1つまたは複数のバスを介して)互いと直接または間接的に通信していることがある。
【０１１４】
制御チャネル構成要素710は、ビームのセットおよびミニスロットのセットを使用した送信のために構成されるダウンリンク送信のリソース割振りパターンを示す制御情報を受信してもよく、ミニスロットの時間長はスロットの時間長未満である。いくつかの場合、制御情報はDCIを含む。
【０１１５】
SLIV構成要素715は、リソース割振りパターンに基づいて、ミニスロットのセットのうちの第1のミニスロットの開始時間および第1のミニスロットの長さを特定し得る。
【０１１６】
いくつかの例では、SLIV構成要素715は、第1のミニスロットの長さに基づいて、第2のミニスロットの開始時間を決定し得る。
【０１１７】
いくつかの例では、SLIV構成要素715は、第1のミニスロットの長さと、第1のミニスロットおよび第2のミニスロットを包含するスロットの長さとに基づいて、第2のミニスロットの長さを決定し得る。
【０１１８】
いくつかの場合、ミニスロットのセットの各々の時間長は、互いに等しい。
【０１１９】
いくつかの場合、リソース割振りパターンは、第1のミニスロットの開始時間および第1のミニスロットの時間長を示す。
【０１２０】
いくつかの場合、第1のミニスロットの時間長は第2のミニスロットの時間長と異なり、第1のミニスロットの時間長および第2のミニスロットの時間長は、ビームのセットにわたるレート調整に基づく。いくつかの場合、リソース割振りパターンは、start and length indicatorを含む。いくつかの場合、第1のミニスロットの開始時間は、第1のミニスロットを開始するOFDMシンボルのインデックスを含む。いくつかの場合、第1のミニスロットの長さは、OFDMシンボルの時間長を含む。
【０１２１】
いくつかの場合、スロットの時間長は、普通のCPが構成される場合には14個のOFDMシンボルを、拡張されたCPが構成される場合には12個のOFDMシンボルを含む。
【０１２２】
共有チャネル構成要素720は、第1のミニスロットの開始時間および第1のミニスロットの長さに基づいて、ダウンリンク送信を受信し得る。いくつかの例では、共有チャネル構成要素720は、第1のミニスロットの間にビームのセットのうちの第1のビーム上でダウンリンク送信の第1の部分を受信し得る。いくつかの場合、ダウンリンク送信はPDSCH送信を含む。
【０１２３】
チャネル品質構成要素725は、ビームのセットのチャネル品質を示す報告を送信し得る。
【０１２４】
TCI状態構成要素730は、報告に基づいて、ビームのセットに対応するTCI状態のセットの指示を受信し得る。いくつかの例では、TCI状態構成要素730は、ミニスロットのセットのうちの第2のミニスロットの間にダウンリンク送信の第2の部分を受信するために、ビームのセットのうちの第2のビームに切り替え得る。いくつかの場合、指示はRRCシグナリングを含む。
【０１２５】
図8は、本開示の態様による、ミニスロットのためのリソース割振りパターンのシグナリングをサポートするデバイス805を含むシステム800の図を示す。デバイス805は、本明細書で説明されるようなデバイス505、デバイス605、もしくはUE115の構成要素の例であり得るか、またはその構成要素を含み得る。デバイス805は、通信マネージャ810と、I/Oコントローラ815と、トランシーバ820と、アンテナ825と、メモリ830と、プロセッサ840とを含む、通信を送信および受信するための構成要素を含む、双方向の音声およびデータ通信のための構成要素を含み得る。これらの構成要素は、1つまたは複数のバス(たとえば、バス845)を介して電子的に通信していることがある。
【０１２６】
通信マネージャ810は、ビームのセットおよびミニスロットのセットを使用した送信のために構成されるダウンリンク送信のリソース割振りパターンを示す制御情報を受信することであって、ミニスロットの時間長がスロットの時間長未満である、ことと、リソース割振りパターンに基づいて、ミニスロットのセットのうちの第1のミニスロットの開始時間および第1のミニスロットの長さを特定することと、第1のミニスロットの開始時間および第1のミニスロットの長さに基づいてダウンリンク送信を受信することとを行い得る。
【０１２７】
I/Oコントローラ815は、デバイス805のための入力信号および出力信号を管理し得る。I/Oコントローラ815はまた、デバイス805に統合されていない周辺装置を管理し得る。いくつかの場合、I/Oコントローラ815は、外部周辺機器への物理接続またはポートを表し得る。いくつかの場合、I/Oコントローラ815は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどのオペレーティングシステムを利用し得る。他の場合には、I/Oコントローラ815は、モデム、キーボード、マウス、タッチスクリーン、または同様のデバイスを表し、またはそれと対話し得る。いくつかの場合、I/Oコントローラ815は、プロセッサの一部として実装され得る。いくつかの場合、ユーザは、I/Oコントローラ815を介して、またはI/Oコントローラ815によって制御されるハードウェア構成要素を介して、デバイス805と対話し得る。
【０１２８】
トランシーバ820は、上で説明されたように1つまたは複数のアンテナ、有線リンク、またはワイヤレスリンクを介して、双方向に通信し得る。たとえば、トランシーバ820は、ワイヤレストランシーバを表すことがあり、別のワイヤレストランシーバと双方向に通信し得る。トランシーバ820はまた、パケットを変調し、変調されたパケットを送信のためにアンテナに与えるための、かつアンテナから受信されたパケットを復調するためのモデムを含み得る。
【０１２９】
いくつかの場合、ワイヤレスデバイスは、単一のアンテナ825を含み得る。しかしながら、いくつかの場合、デバイスは、複数のワイヤレス送信を同時に送信または受信することが可能であり得る1つより多くのアンテナ825を有し得る。
【０１３０】
メモリ830は、ランダムアクセスメモリ(RAM)と読取り専用メモリ(ROM)とを含み得る。メモリ830は、実行されると、プロセッサに本明細書で説明される様々な機能を実行させる命令を含む、コンピュータ可読のコンピュータ実行可能コード835を記憶することができる。いくつかの場合、メモリ830は、特に、周辺構成要素または周辺デバイスとの相互作用などの、基本的なハードウェア動作またはソフトウェア動作を制御することがある基本入出力システム(BIOS)を含み得る。
【０１３１】
プロセッサ840は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。いくつかの場合、プロセッサ840は、メモリコントローラを使用してメモリアレイを動作させるように構成され得る。他の場合には、メモリコントローラは、プロセッサ840の中に統合され得る。プロセッサ840は、デバイス805に様々な機能(たとえば、ミニスロットのためにリソース割振りパターンのシグナリングをサポートする機能またはタスク)を実行させるように、メモリ(たとえば、メモリ830)に記憶されているコンピュータ可読命令を実行するように構成され得る。
【０１３２】
コード835は、ワイヤレス通信をサポートするための命令を含む、本開示の態様を実施するための命令を含み得る。コード835は、システムメモリまたは他のタイプのメモリなどの、非一時的コンピュータ可読媒体に記憶され得る。いくつかの場合、コード835は、プロセッサ840によって直接的に実行可能でないことがあるが、(たとえば、コンパイルされ実行されたとき)本明細書で説明される機能をコンピュータに実行させ得る。
【０１３３】
図9は、本開示の態様による、ミニスロットのためのリソース割振りパターンのシグナリングをサポートするデバイス905のブロック図900を示す。デバイス905は、本明細書で説明された基地局105の態様の例であり得る。デバイス905は、受信機910と、通信マネージャ915と、送信機920とを含み得る。デバイス905は、プロセッサも含み得る。これらの構成要素の各々は、(たとえば、1つまたは複数のバスを介して)互いに通信していてもよい。
【０１３４】
受信機910は、パケット、ユーザデータ、または様々な情報チャネルと関連付けられる制御情報(たとえば、制御チャネル、データチャネル、および、ミニスロットのためのリソース割振りパターンのシグナリングに関する情報など)などの情報を受信し得る。情報は、デバイス905の他の構成要素に受け渡され得る。受信機910は、図12を参照して説明されるトランシーバ1220の態様の例であり得る。受信機910は、単一のアンテナまたはアンテナのセットを利用し得る。
【０１３５】
通信マネージャ915は、ビームのセットおよびミニスロットのセットを使用した送信のためにダウンリンク送信を構成することであって、ミニスロットの時間長がスロットの時間長未満である、ことと、ダウンリンク送信のためのリソース割振りパターンを示す制御情報を送信することと、リソース割振りパターンに基づいてダウンリンク送信を送信することとを行い得る。通信マネージャ915は、本明細書で説明される通信マネージャ1210の態様の例であり得る。
【０１３６】
通信マネージャ915またはその下位構成要素は、ハードウェアで実装されてもよく、プロセッサによって実行されるコード(たとえば、ソフトウェアまたはファームウェア)で実装されてもよく、またはこれらの任意の組合せで実装されてもよい。プロセッサによって実行されるコードで実装される場合、通信マネージャ915、またはその下位構成要素の機能は、汎用プロセッサ、DSP、ASIC、FPGAもしくは他のプログラマブル論理デバイス、個別ゲートもしくはトランジスタ論理、個別ハードウェア構成要素、または本開示で説明する機能を実行するように設計されたそれらの任意の組合せによって実行され得る。
【０１３７】
通信マネージャ915またはその下位構成要素は、機能の部分が1つまたは複数の物理構成要素によって異なる物理的位置において実装されるように分散されることを含めて、様々な場所において物理的に位置し得る。いくつかの例では、通信マネージャ915またはその下位構成要素は、本開示の様々な態様による別個のおよび異なる構成要素であり得る。いくつかの例では、通信マネージャ915またはその下位構成要素は、限定はされないが、I/O構成要素、トランシーバ、ネットワークサーバ、別のコンピューティングデバイス、本開示で説明される1つまたは複数の他の構成要素、または本開示の様々な態様によるそれらの組合せを含む、1つまたは複数の他のハードウェア構成要素と組み合わせられ得る。
【０１３８】
送信機920は、デバイス905の他の構成要素によって生成された信号を送信し得る。いくつかの例では、送信機920は、トランシーバモジュールにおいて受信機910と併置されてもよい。たとえば、送信機920は、図12を参照して説明されるトランシーバ1220の態様の例であり得る。送信機920は、単一のアンテナまたはアンテナのセットを利用し得る。
【０１３９】
図10は、本開示の態様による、ミニスロットのためのリソース割振りパターンのシグナリングをサポートするデバイス1005のブロック図1000を示す。デバイス1005は、本明細書で説明されたようなデバイス905または基地局105の態様の例であり得る。デバイス1005は、受信機1010と、通信マネージャ1015と、送信機1035とを含み得る。デバイス1005は、プロセッサも含み得る。これらの構成要素の各々は、(たとえば、1つまたは複数のバスを介して)互いに通信していてもよい。
【０１４０】
受信機1010は、パケット、ユーザデータ、または様々な情報チャネルと関連付けられる制御情報(たとえば、制御チャネル、データチャネル、および、ミニスロットのためのリソース割振りパターンのシグナリングに関する情報など)などの情報を受信し得る。情報は、デバイス1005の他の構成要素に受け渡され得る。受信機1010は、図12を参照して説明されるトランシーバ1220の態様の例であり得る。受信機1010は、単一のアンテナまたはアンテナのセットを利用し得る。
【０１４１】
通信マネージャ1015は、本明細書で説明されるような通信マネージャ915の態様の例であり得る。通信マネージャ1015はまた、SLIV構成要素1020、制御チャネル構成要素1025、および共有チャネル構成要素1030を含み得る。通信マネージャ1015は、本明細書で説明される通信マネージャ1210の態様の例であり得る。
【０１４２】
SLIV構成要素1020は、ビームのセットおよびミニスロットのセットを使用した送信のためにダウンリンク送信を構成してもよく、ミニスロットの時間長はスロットの時間長未満である。
【０１４３】
制御チャネル構成要素1025は、ダウンリンク送信のためのリソース割振りパターンを示す制御情報を送信し得る。
【０１４４】
共有チャネル構成要素1030は、リソース割振りパターンに基づいてダウンリンク送信を送信し得る。
【０１４５】
送信機1035は、デバイス1005の他の構成要素によって生成された信号を送信し得る。いくつかの例では、送信機1035は、トランシーバモジュールにおいて受信機1010と併置されてもよい。たとえば、送信機1035は、図12を参照して説明されるトランシーバ1220の態様の例であり得る。送信機1035は、単一のアンテナまたはアンテナのセットを利用し得る。
【０１４６】
図11は、本開示の態様による、ミニスロットのためのリソース割振りパターンのシグナリングをサポートする通信マネージャ1105のブロック図1100を示す。通信マネージャ1105は、本明細書で説明される通信マネージャ915、通信マネージャ1015、または通信マネージャ1210の態様の例であり得る。通信マネージャ1105は、SLIV構成要素1110、制御チャネル構成要素1115、共有チャネル構成要素1120、チャネル品質構成要素1125、TCI状態構成要素1130、およびレート調整構成要素1135を含み得る。これらのモジュールの各々は、(たとえば、1つまたは複数のバスを介して)互いと直接または間接的に通信していることがある。
【０１４７】
SLIV構成要素1110は、ビームのセットおよびミニスロットのセットを使用した送信のためにダウンリンク送信を構成してもよく、ミニスロットの時間長はスロットの時間長未満である。いくつかの例では、SLIV構成要素1110は、リソース割振りパターンに基づいて第1のミニスロットの開始時間および第1のミニスロットの長さを示してもよく、第2のミニスロットの開始時間および第2のミニスロットの長さは、第1のミニスロットの長さならびに第1のミニスロットおよび第2のミニスロットを包含するスロットの長さに基づいて暗黙的に示される。いくつかの場合、リソース割振りパターンは、start and length indicatorを含む。
【０１４８】
いくつかの場合、スロットの時間長は、普通のCPが構成される場合には14個のOFDMシンボルを、拡張されたCPが構成される場合には12個のOFDMシンボルを含む。
【０１４９】
制御チャネル構成要素1115は、ダウンリンク送信のためのリソース割振りパターンを示す制御情報を送信し得る。いくつかの場合、制御情報はDCIを含む。
【０１５０】
共有チャネル構成要素1120は、リソース割振りパターンに基づいてダウンリンク送信を送信し得る。いくつかの例では、共有チャネル構成要素1120は、ミニスロットのセットのうちの第1のミニスロットの間にビームのセットのうちの第1のビーム上でダウンリンク送信の第1の部分を送信し得る。いくつかの例では、共有チャネル構成要素1120は、ミニスロットのセットのうちの第2のミニスロットの間にビームのセットのうちの第2のビーム上でダウンリンク送信の第2の部分を送信し得る。いくつかの場合、ダウンリンク送信はPDSCH送信を含む。
【０１５１】
チャネル品質構成要素1125は、ビームのセットのチャネル品質を示す報告を受信し得る。
【０１５２】
TCI状態構成要素1130は、報告に基づいて、ビームのセットに対応するTCI状態のセットの指示を送信し得る。いくつかの場合、指示はRRCシグナリングを含む。
【０１５３】
レート調整構成要素1135は、ミニスロットのセットのうちの第1のミニスロットの時間長をミニスロットのセットのうちの第2のミニスロットの時間長とは異なるように構成することによって、ビームのセットにわたり送信レートを調整し得る。
【０１５４】
図12は、本開示の態様による、ミニスロットのためのリソース割振りパターンのシグナリングをサポートするデバイス1205を含むシステム1200の図を示す。デバイス1205は、本明細書で説明されるようなデバイス905、デバイス1005、もしくは基地局105の構成要素の例であり得るか、またはその構成要素を含み得る。デバイス1205は、通信マネージャ1210と、ネットワーク通信マネージャ1215と、トランシーバ1220と、アンテナ1225と、メモリ1230と、プロセッサ1240と、局間通信マネージャ1245とを含む、通信を送信および受信するための構成要素を含む、双方向の音声およびデータ通信のための構成要素を含み得る。これらの構成要素は、1つまたは複数のバス(たとえば、バス1250)を介して電子的に通信していることがある。
【０１５５】
通信マネージャ1210は、ビームのセットおよびミニスロットのセットを使用した送信のためにダウンリンク送信を構成することであって、ミニスロットの時間長がスロットの時間長未満である、ことと、ダウンリンク送信のためのリソース割振りパターンを示す制御情報を送信することと、リソース割振りパターンに基づいてダウンリンク送信を送信することとを行い得る。
【０１５６】
ネットワーク通信マネージャ1215は、(たとえば、1つまたは複数の有線バックホールリンクを介して)コアネットワークとの通信を管理し得る。たとえば、ネットワーク通信マネージャ1215は、1つまたは複数のUE115などの、クライアントデバイスのためのデータ通信の転送を管理し得る。
【０１５７】
トランシーバ1220は、上で説明されたように、1つまたは複数のアンテナ、有線リンク、またはワイヤレスリンクを介して、双方向に通信し得る。たとえば、トランシーバ1220は、ワイヤレストランシーバを表すことがあり、別のワイヤレストランシーバと双方向に通信し得る。トランシーバ1220はまた、パケットを変調し、変調されたパケットを送信のためにアンテナに与えるための、かつアンテナから受信されたパケットを復調するためのモデムを含み得る。
【０１５８】
いくつかの場合、ワイヤレスデバイスは、単一のアンテナ1225を含み得る。しかしながら、いくつかの場合、デバイスは、複数のワイヤレス送信を同時に送信または受信することが可能であり得る1つより多くのアンテナ1225を有し得る。
【０１５９】
メモリ1230は、RAM、ROM、またはそれらの組合せを含み得る。メモリ1230は、プロセッサ(たとえば、プロセッサ1240)によって実行されると、デバイスに本明細書で説明される様々な機能を実行させる命令を含む、コンピュータ可読コード1235を記憶することができる。いくつかの場合、メモリ1230は、特に、周辺構成要素または周辺デバイスとの相互作用などの、基本的なハードウェア操作またはソフトウェア動作を制御し得るBIOSを含み得る。
【０１６０】
プロセッサ1240は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。いくつかの場合、プロセッサ1240は、メモリコントローラを使用してメモリアレイを動作させるように構成され得る。いくつかの場合、メモリコントローラは、プロセッサ1240に統合され得る。プロセッサ1240は、デバイス#{デバイス}に様々な機能(たとえば、ミニスロットのためにリソース割振りパターンのシグナリングをサポートする機能またはタスク)を実行させるように、メモリ(たとえば、メモリ1230)に記憶されているコンピュータ可読命令を実行するように構成され得る。
【０１６１】
局間通信マネージャ1245は、他の基地局105との通信を管理することができ、他の基地局105と協働してUE115との通信を制御するためのコントローラまたはスケジューラを含み得る。たとえば、局間通信マネージャ1245は、ビームフォーミングまたはジョイント送信などの様々な干渉緩和技法のために、UE115への送信のスケジューリングを協調させ得る。いくつかの例では、局間通信マネージャ1245は、基地局105間で通信を行うために、LTE/LTE-Aワイヤレス通信ネットワーク技術内のX2インターフェースを提供し得る。
【０１６２】
コード1235は、ワイヤレス通信をサポートするための命令を含む、本開示の態様を実施するための命令を含み得る。コード1235は、システムメモリまたは他のタイプのメモリなどの、非一時的コンピュータ可読媒体に記憶され得る。いくつかの場合、コード1235は、プロセッサ1240によって直接的に実行可能でないことがあるが、(たとえば、コンパイルされ実行されたとき)本明細書で説明される機能をコンピュータに実行させ得る。
【０１６３】
図13は、本開示の態様による、ミニスロットのためのリソース割振りパターンのシグナリングをサポートする方法1300を示すフローチャートを示す。方法1300の動作は、本明細書で説明されるような、UE115またはその構成要素によって実装され得る。たとえば、方法1300の動作は、図5〜図8を参照して説明されたような通信マネージャによって実行され得る。いくつかの例では、UEは、以下で説明される機能を実行するようにUEの機能要素を制御するための命令のセットを実行し得る。追加または代替として、UEは、以下で説明される機能の態様を、専用ハードウェアを使用して実行し得る。
【０１６４】
1305において、UEは、ビームのセットおよびミニスロットのセットを使用した送信のために構成されるダウンリンク送信のリソース割振りパターンを示す制御情報を受信してもよく、ミニスロットの時間長はスロットの時間長未満である。1305の動作は、本明細書で説明される方法に従って実行され得る。いくつかの例では、1305の動作の態様は、図5〜図8を参照して説明されたような制御チャネル構成要素によって実行され得る。
【０１６５】
1310において、UEは、リソース割振りパターンに基づいて、ミニスロットのセットのうちの第1のミニスロットの開始時間および第1のミニスロットの長さを特定し得る。1310の動作は、本明細書で説明される方法に従って実行され得る。いくつかの例では、1310の動作の態様は、図5〜図8を参照して説明されたような、SLIV構成要素によって実行され得る。
【０１６６】
1315において、UEは、第1のミニスロットの開始時間および第1のミニスロットの長さに基づいて、ダウンリンク送信を受信し得る。1315の動作は、本明細書で説明される方法に従って実行され得る。いくつかの例では、1315の動作の態様は、図5〜図8を参照して説明されたような共有チャネル構成要素によって実行され得る。
【０１６７】
図14は、本開示の態様による、ミニスロットのためのリソース割振りパターンのシグナリングをサポートする方法1400を示すフローチャートを示す。方法1400の動作は、本明細書で説明されるような、UE115またはその構成要素によって実装され得る。たとえば、方法1400の動作は、図5〜図8を参照して説明されたような通信マネージャによって実行され得る。いくつかの例では、UEは、以下で説明される機能を実行するようにUEの機能要素を制御するための命令のセットを実行し得る。追加または代替として、UEは、以下で説明される機能の態様を、専用ハードウェアを使用して実行し得る。
【０１６８】
1405において、UEは、ビームのセットのチャネル品質を示す報告を送信し得る。1405の動作は、本明細書で説明される方法に従って実行され得る。いくつかの例では、1405の動作の態様は、図5〜図8を参照して説明されたようなチャネル品質構成要素によって実行され得る。
【０１６９】
1410において、UEは、報告に基づいて、ビームのセットに対応するTCI状態のセットの指示を受信し得る。1410の動作は、本明細書で説明される方法に従って実行され得る。いくつかの例では、1410の動作の態様は、図5〜図8を参照して説明されたような、TCI状態構成要素によって実行され得る。
【０１７０】
1415において、UEは、ビームのセットおよびミニスロットのセットを使用した送信のために構成されるダウンリンク送信のリソース割振りパターンを示す制御情報を受信してもよく、ミニスロットの時間長はスロットの時間長未満である。1415の動作は、本明細書で説明される方法に従って実行され得る。いくつかの例では、1415の動作の態様は、図5〜図8を参照して説明されたような制御チャネル構成要素によって実行され得る。
【０１７１】
1420において、UEは、リソース割振りパターンに基づいて、ミニスロットのセットのうちの第1のミニスロットの開始時間および第1のミニスロットの長さを特定し得る。1420の動作は、本明細書で説明される方法に従って実行され得る。いくつかの例では、1420の動作の態様は、図5〜図8を参照して説明されたような、SLIV構成要素によって実行され得る。
【０１７２】
1425において、UEは、第1のミニスロットの開始時間および第1のミニスロットの長さに基づいて、ダウンリンク送信を受信し得る。1425の動作は、本明細書で説明される方法に従って実行され得る。いくつかの例では、1425の動作の態様は、図5〜図8を参照して説明されたような共有チャネル構成要素によって実行され得る。
【０１７３】
図15は、本開示の態様による、ミニスロットのためのリソース割振りパターンのシグナリングをサポートする方法1500を示すフローチャートを示す。方法1500の動作は、本明細書で説明されるような、UE115またはその構成要素によって実装され得る。たとえば、方法1500の動作は、図5〜図8を参照して説明されたような通信マネージャによって実行され得る。いくつかの例では、UEは、以下で説明される機能を実行するようにUEの機能要素を制御するための命令のセットを実行し得る。追加または代替として、UEは、以下で説明される機能の態様を、専用ハードウェアを使用して実行し得る。
【０１７４】
1505において、UEは、ビームのセットおよびミニスロットのセットを使用した送信のために構成されるダウンリンク送信のリソース割振りパターンを示す制御情報を受信してもよく、ミニスロットの時間長はスロットの時間長未満である。1505の動作は、本明細書で説明される方法に従って実行され得る。いくつかの例では、1505の動作の態様は、図5〜図8を参照して説明されたような制御チャネル構成要素によって実行され得る。
【０１７５】
1510において、UEは、リソース割振りパターンに基づいて、ミニスロットのセットのうちの第1のミニスロットの開始時間および第1のミニスロットの長さを特定し得る。1510の動作は、本明細書で説明される方法に従って実行され得る。いくつかの例では、1510の動作の態様は、図5〜図8を参照して説明されたような、SLIV構成要素によって実行され得る。
【０１７６】
1515において、UEは、第1のミニスロットの間に、および、第1のミニスロットの開始時間と第1のミニスロットの長さとに基づいて、ビームのセットのうちの第1のビーム上でダウンリンク送信の第1の部分を受信し得る。1515の動作は、本明細書で説明される方法に従って実行され得る。いくつかの例では、1515の動作の態様は、図5〜図8を参照して説明されたような共有チャネル構成要素によって実行され得る。
【０１７７】
1520において、UEは、ミニスロットのセットのうちの第2のミニスロットの間にダウンリンク送信の第2の部分を受信するために、ビームのセットのうちの第2のビームに切り替え得る。1520の動作は、本明細書で説明される方法に従って実行され得る。いくつかの例では、1520の動作の態様は、図5〜図8を参照して説明されたような、TCI状態構成要素によって実行され得る。
【０１７８】
図16は、本開示の態様による、ミニスロットのためのリソース割振りパターンのシグナリングをサポートする方法1600を示すフローチャートを示す。方法1600の動作は、本明細書で説明されたように、基地局105またはその構成要素によって実装され得る。たとえば、方法1600の動作は、図9〜図12を参照して説明されたような通信マネージャによって実行され得る。いくつかの例では、基地局は、以下で説明される機能を実行するように基地局の機能要素を制御するための命令のセットを実行し得る。追加または代替として、基地局は、専用ハードウェアを使用して、以下で説明される機能の態様を実行し得る。
【０１７９】
1605において、基地局は、ビームのセットおよびミニスロットのセットを使用した送信のためにダウンリンク送信を構成してもよく、ミニスロットの時間長はスロットの時間長未満である。1605の動作は、本明細書で説明される方法に従って実行され得る。いくつかの例では、1605の動作の態様は、図9〜図12を参照して説明されたような、SLIV構成要素によって実行され得る。
【０１８０】
1610において、基地局は、ダウンリンク送信のためのリソース割振りパターンを示す制御情報を送信し得る。1610の動作は、本明細書で説明される方法に従って実行され得る。いくつかの例では、1610の動作の態様は、図9〜図12を参照して説明されたような制御チャネル構成要素によって実行され得る。
【０１８１】
1615において、基地局は、リソース割振りパターンに基づいてダウンリンク送信を送信し得る。1615の動作は、本明細書で説明される方法に従って実行され得る。いくつかの例では、1615の動作の態様は、図9〜図12を参照して説明されたような共有チャネル構成要素によって実行され得る。
【０１８２】
図17は、本開示の態様による、ミニスロットのためのリソース割振りパターンのシグナリングをサポートする方法1700を示すフローチャートを示す。方法1700の動作は、本明細書で説明されたように、基地局105またはその構成要素によって実装され得る。たとえば、方法1700の動作は、図9〜図12を参照して説明されたような通信マネージャによって実行され得る。いくつかの例では、基地局は、以下で説明される機能を実行するように基地局の機能要素を制御するための命令のセットを実行し得る。追加または代替として、基地局は、専用ハードウェアを使用して、以下で説明される機能の態様を実行し得る。
【０１８３】
1705において、基地局は、ビームのセットのチャネル品質を示す報告を受信し得る。1705の動作は、本明細書で説明される方法に従って実行され得る。いくつかの例では、1705の動作の態様は、図9〜図12を参照して説明されたようなチャネル品質構成要素によって実行され得る。
【０１８４】
1710において、基地局は、報告に基づいて、ビームのセットに対応するTCI状態のセットの指示を送信し得る。1710の動作は、本明細書で説明される方法に従って実行され得る。いくつかの例では、1710の動作の態様は、図9〜図12を参照して説明されたような、TCI状態構成要素によって実行され得る。
【０１８５】
1715において、基地局は、ビームのセットおよびミニスロットのセットを使用した送信のためにダウンリンク送信を構成してもよく、ミニスロットの時間長はスロットの時間長未満である。1715の動作は、本明細書で説明される方法に従って実行され得る。いくつかの例では、1715の動作の態様は、図9〜図12を参照して説明されたような、SLIV構成要素によって実行され得る。
【０１８６】
1720において、基地局は、ダウンリンク送信のためのリソース割振りパターンを示す制御情報を送信し得る。1720の動作は、本明細書で説明される方法に従って実行され得る。いくつかの例では、1720の動作の態様は、図9〜図12を参照して説明されたような制御チャネル構成要素によって実行され得る。
【０１８７】
1725において、基地局は、リソース割振りパターンに基づいてダウンリンク送信を送信し得る。1725の動作は、本明細書で説明される方法に従って実行され得る。いくつかの例では、1725の動作の態様は、図9〜図12を参照して説明されたような共有チャネル構成要素によって実行され得る。
【０１８８】
図18は、本開示の態様による、ミニスロットのためのリソース割振りパターンのシグナリングをサポートする方法1800を示すフローチャートを示す。方法1800の動作は、本明細書で説明されたように、基地局105またはその構成要素によって実装され得る。たとえば、方法1800の動作は、図9〜図12を参照して説明されたような通信マネージャによって実行され得る。いくつかの例では、基地局は、以下で説明される機能を実行するように基地局の機能要素を制御するための命令のセットを実行し得る。追加または代替として、基地局は、専用ハードウェアを使用して、以下で説明される機能の態様を実行し得る。
【０１８９】
1805において、基地局は、ビームのセットおよびミニスロットのセットを使用した送信のためにダウンリンク送信を構成してもよく、ミニスロットの時間長はスロットの時間長未満である。1805の動作は、本明細書で説明される方法に従って実行され得る。いくつかの例では、1805の動作の態様は、図9〜図12を参照して説明されたような、SLIV構成要素によって実行され得る。
【０１９０】
1810において、基地局は、ダウンリンク送信のためのリソース割振りパターンを示す制御情報を送信し得る。1810の動作は、本明細書で説明される方法に従って実行され得る。いくつかの例では、1810の動作の態様は、図9〜図12を参照して説明されたような制御チャネル構成要素によって実行され得る。
【０１９１】
1815において、基地局は、リソース割振りパターンに基づいて、ミニスロットのセットのうちの第1のミニスロットの間にビームのセットのうちの第1のビーム上でダウンリンク送信の第1の部分を送信し得る。1815の動作は、本明細書で説明される方法に従って実行され得る。いくつかの例では、1815の動作の態様は、図9〜図12を参照して説明されたような共有チャネル構成要素によって実行され得る。
【０１９２】
1820において、基地局は、リソース割振りパターンに基づいて、ミニスロットのセットのうちの第2のミニスロットの間にビームのセットのうちの第2のビーム上でダウンリンク送信の第2の部分を送信し得る。1820の動作は、本明細書で説明される方法に従って実行され得る。いくつかの例では、1820の動作の態様は、図9〜図12を参照して説明されたような共有チャネル構成要素によって実行され得る。
【０１９３】
上で説明された方法は可能な実装形態について説明すること、動作およびステップは再構成されるかまたは他の方法で修正されることがあること、他の実装形態が可能であることに留意されたい。さらに、方法のうちの2つ以上からの態様が組み合わせられ得る。
【０１９４】
本明細書で説明される技法は、符号分割多元接続(CDMA(登録商標))、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。CDMA(登録商標)システムは、CDMA2000、Universal Terrestrial Radio Access (UTRA)などの無線技術を実装してもよく、CDMA2000は、IS-2000、IS-95、およびIS-856規格をカバーする。IS-2000リリースは、一般に、CDMA2000 1X、1Xなどと呼ばれることがある。IS-856(TIA-856)は、一般に、CDMA2000 1xEV-DO、高速パケットデータ(HRPD)などと呼ばれる。UTRAは、広帯域CDMA(WCDMA(登録商標))と、CDMA(登録商標)の他の変形とを含む。TDMAシステムは、Global System for Mobile Communications(GSM(登録商標))などの無線技術を実装し得る。
【０１９５】
OFDMAシステムは、Ultra Mobile Broadband(UMB)、Evolved UTRA(E-UTRA)、米国電気電子技術者協会(IEEE)802.11(Wi-Fi)、IEEE 802.16(WiMAX)、IEEE 802.20、Flash-OFDMなどの無線技術を実装し得る。UTRAおよびE-UTRAは、Universal Mobile Telecommunications System (UMTS)の一部である。LTE、LTE-A、およびLTE-A Proは、E-UTRAを使用するUMTSのリリースである。UTRA、E-UTRA、UMTS、LTE、LTE-A、LTE-A Pro、NR、およびGSM(登録商標)は、「第3世代パートナーシッププロジェクト」(3GPP)という名称の団体からの文書に記載されている。CDMA2000およびUMBは、「第3世代パートナーシッププロジェクト2」(3GPP2: 3rd Generation Partnership Project 2)と称する団体からの文書に記載されている。本明細書で説明された技法は、上で言及されたシステムおよび無線技術、ならびに他のシステムおよび無線技術に使用されてもよい。LTE、LTE-A、LTE-A Pro、またはNRシステムの態様が、例として説明されることがあり、LTE、LTE-A、LTE-A Pro、またはNR用語が、説明の大部分において使用されることがあるが、本明細書で説明される技法は、LTE、LTE-A、LTE-A Pro、またはNRの適用例以外に適用可能である。
【０１９６】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較して低電力の基地局105と関連付けられることがあり、スモールセルは、マクロセルと同じまたはマクロセルとは異なる(たとえば、免許、免許不要など)周波数帯域において動作することがある。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUE115による無制限アクセスを可能にすることができる。フェムトセルも、小さい地理的エリア(たとえば、自宅)をカバーすることができ、フェムトセルとの関連付けを有するUE115(たとえば、限定加入者グループ(CSG)中のUE115、自宅内のユーザのためのUE115など)による制限付きアクセスを提供することができる。マクロセルのためのeNBは、マクロeNBと呼ばれ得る。スモールセルのためのeNBは、スモールセルeNB、ピコeNB、フェムトeNB、またはホームeNBと呼ばれ得る。eNBは、1つまたは複数(たとえば、2つ、3つ、4つなど)のセルをサポートすることができ、1つまたは複数のコンポーネントキャリアを使用する通信もサポートすることができる。
【０１９７】
本明細書で説明される1つまたは複数のワイヤレス通信システム100は、同期動作または非同期動作をサポートすることができる。同期動作の場合、基地局105は、同様のフレームタイミングを有することがあり、異なる基地局105からの送信は時間的に概ね揃えられ得る。非同期動作の場合、基地局105は、異なるフレームタイミングを有することがあり、異なる基地局105からの送信は、時間的に揃えられないことがある。本明細書で説明される技法は、同期動作または非同期動作のいずれかに使用され得る。
【０１９８】
本明細書で説明される情報および信号は、様々な異なる技術および技法のうちのいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１９９】
本明細書の開示に関して説明される様々な例示的なブロックおよびモジュールは、汎用プロセッサ、デジタル信号プロセッサ(DSP)、ASIC、FPGAもしくは他のプログラマブル論理デバイス(PLD)、個別ゲートもしくトランジスタ論理、個別ハードウェア構成要素、または本明細書で説明された機能を実行するように設計されたそれらの任意の組合せを用いて実装または実行され得る。汎用プロセッサは、マイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)として実装され得る。
【０２００】
本明細書で説明される機能は、ハードウェア、プロセッサによって実行されるソフトウェア、ファームウェア、またはそれらの任意の組合せにおいて実装され得る。プロセッサによって実行されるソフトウェアにおいて実装される場合、機能は、1つまたは複数の命令またはコードとして、コンピュータ可読媒体上に記憶され、またはコンピュータ可読媒体を介して送信され得る。他の例および実装形態が、本開示および添付の特許請求の範囲の範囲内に入る。たとえば、ソフトウェアの性質により、上で説明された機能は、プロセッサによって実行されるソフトウェア、ハードウェア、ファームウェア、ハードワイヤリング、またはこれらのうちのいずれかの組合せを使用して実装され得る。機能を実装する特徴はまた、異なる物理的位置において機能の部分が実装されるように分散されることを含めて、様々な位置に物理的に配置され得る。
【０２０１】
コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、RAM、ROM、電気的消去可能プログラマブル読取り専用メモリ(EEPROM)、フラッシュメモリ、コンパクトディスク(CD)ROMまたは他の光ディスクストレージ、磁気ディスクストレージまたは他の磁気ストレージデバイス、あるいは、命令またはデータ構造の形態の所望のプログラムコード手段を担持または記憶するために使用され、汎用コンピュータもしくは専用コンピュータまたは汎用プロセッサもしくは専用プロセッサによってアクセスされ得る任意の他の非一時的媒体を含み得る。また、任意の接続が、適切にコンピュータ可読媒体と呼ばれる。たとえば、ソフトウェアが、同軸ケーブル、光ファイバーケーブル、ツイストペア、デジタル加入者線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピーディスク(disk)、およびBlue-rayディスク(disc)を含み、ディスク(disk)は、通常、データを磁気的に再生し、ディスク(disc)は、データをレーザーで光学的に再生する。上記のものの組合せも、コンピュータ可読媒体の範囲内に含まれる。
【０２０２】
特許請求の範囲内を含めて本明細書で使用される項目のリスト(たとえば、「のうちの少なくとも1つ」または「のうちの1つまたは複数」などの句で終わる項目のリスト)において使用される「または」は、たとえば、A、B、またはCのうちの少なくとも1つのリストが、AまたはBまたはCまたはABまたはACまたはBCまたはABC(すなわち、AおよびBおよびC)を意味するような、包括的リストを示す。また、本明細書で使用される「に基づいて」という句は、条件の閉集合への参照と解釈されないものとする。たとえば、「条件Aに基づいて」として説明される例示的なステップは、本開示の範囲から逸脱することなく、条件Aと条件Bの両方に基づいてよい。言い換えれば、本明細書で使用される「に基づいて」という句は、「に少なくとも部分的に基づいて」という句と同様に解釈されるべきである。
【０２０３】
添付の図では、同様の構成要素または特徴は同じ参照ラベルを有し得る。さらに、同じタイプの様々な構成要素は、参照ラベルの後に、ダッシュと、類似の構成要素を区別する第2のラベルとを続けることによって区別され得る。第1の参照ラベルのみが本明細書で使用される場合、説明は、第2の参照ラベル、または他の後続の参照ラベルにかかわらず、同じ第1の参照ラベルを有する類似の構成要素のうちのいずれにも適用可能である。
【０２０４】
添付の図面に関して本明細書に記載された説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。発明を実施するための形態は、説明される技法の理解をもたらすための具体的な詳細を含む。しかしながら、これらの技法は、これらの具体的な詳細なしに実践され得る。いくつかの事例では、説明される例の概念を不明瞭にすることを回避するために、よく知られている構造およびデバイスがブロック図の形式で示される。
【０２０５】
本明細書の説明は、当業者が本開示を作成または使用することを可能にするように与えられる。本開示への様々な変更が当業者に容易に明らかとなり、本明細書で定義された一般原理は、本開示の範囲から逸脱することなく他の変形形態に適用され得る。したがって、本開示は、本明細書で説明される例および設計に限定されず、本明細書で開示される原理および新規の特徴に合致する最も広い範囲を与えられるべきである。
【符号の説明】
【０２０６】
100  ワイヤレス通信システム
105  基地局
110  地理的カバレッジエリア
115  UE
125  通信リンク
130  コアネットワーク
132  バックホールリンク
134  バックホールリンク
200  ワイヤレス通信システム
205  ビームフォーミングされた信号
301  ワイヤレス通信メッセージ
302  ワイヤレス通信メッセージ
305  スロット
310  ミニスロット
505  デバイス
510  受信機
515  通信マネージャ
520  送信機
605  デバイス
610  受信機
615  通信マネージャ
620  制御チャネル構成要素
625  SLIV構成要素
630  共有チャネル構成要素
635  送信機
705  通信マネージャ
710  制御チャネル構成要素
715  SLIV構成要素
720  共有チャネル構成要素
725  チャネル品質構成要素
730  TCI状態構成要素
805  デバイス
810  通信マネージャ
815  I/Oコントローラ
820  トランシーバ
825  アンテナ
830  メモリ
835  コード
840  プロセッサ
845  バス
905  デバイス
910  受信機
915  通信マネージャ
920  送信機
1005  デバイス
1010  受信機
1015  通信マネージャ
1020  SLIV構成要素
1025  制御チャネル構成要素
1030  共有チャネル構成要素
1035  送信機
1105  通信マネージャ
1110  SLIV構成要素
1115  制御チャネル構成要素
1120  共有チャネル構成要素
1125  チャネル品質構成要素
1130  TCI状態構成要素
1135  レート調整構成要素
1205  デバイス
1210  通信マネージャ
1215  ネットワーク通信マネージャ
1220  トランシーバ
1225  アンテナ
1230  メモリ
1235  コード
1240  プロセッサ
1245  局間通信マネージャ
1250  バス
【図１】
2021522732.tif 000003
【図２】
2021522732.tif 000004
【図３】
2021522732.tif 000005
【図４】
2021522732.tif 000006
【図５】
2021522732.tif 000007
【図６】
2021522732.tif 000008
【図７】
2021522732.tif 000009
【図８】
2021522732.tif 000010
【図９】
2021522732.tif 000011
【図１０】
2021522732.tif 000012
【図１１】
2021522732.tif 000013
【図１２】
2021522732.tif 000014
【図１３】
2021522732.tif 000015
【図１４】
2021522732.tif 000016
【図１５】
2021522732.tif 000017
【図１６】
2021522732.tif 000018
【図１７】
2021522732.tif 000019
【図１８】
2021522732.tif 000020
【国際調査報告】
2021522732.tif 000021
2021522732.tif 000022